(57)【要約】      （修正有）【課題】ワイヤレスネットワークのスモールセルを伴うｅＭＢＭＳの実装を管理するための方法を提供する。【解決手段】方法は、スモールセルによって、マクロセルからワイヤレスマルチキャストブロードキャスト単一周波数ネットワーク（ＭＢＳＦＮ）信号を受信すること、を含む。ここで、スモールセルは、スモールセルを有するワイヤレス通信ネットワークにおける各マクロセルよりも実質的に小さい送信電力を有することを特徴とする。また、スモールセルによって、スモールセルの無線範囲内のＭＢＳＦＮ信号の測定値を取得することをさらに含む。スモールセルによって、測定値に基づいて動作することをさらに含む。スモールセルは、ピコセル、フェムトセルまたはホーム発展型Ｎｏｄｅ  Ｂ（ＨｅＮＢ）のうちの少なくとも１つであるるか、またはそれを含む。【選択図】図１２
2018011313.tif 000002
【特許請求の範囲】
【請求項１】
ワイヤレス通信のためのスモールセルによる方法であって、
スモールセルによって、マクロセルからのワイヤレスマルチキャストブロードキャスト単一周波数ネットワーク（ＭＢＳＦＮ）信号を受信することと、ここで、前記スモールセルは、前記スモールセルを有するワイヤレス通信ネットワークにおける各マクロセルよりも実質的に小さい送信電力を有することを特徴とし、
前記スモールセルによって、前記スモールセルの無線範囲内の前記ＭＢＳＦＮ信号の測定値を取得することと、
前記スモールセルによって、前記測定値に基づいて動作することと、
を備える方法。
【請求項２】
前記取得することは、前記スモールセルにおいて受信された前記ＭＢＳＦＮ信号のメトリックを測定することによって実行され、ここで、前記メトリックは、基準信号受信電力（ＲＳＲＰ）、基準信号受信品質（ＲＳＲＱ）、または信号対雑音比（ＳＮＲ）から選択される、請求項１に記載の方法。
【請求項３】
前記取得することは、前記スモールセルの無線範囲におけるユーザ機器（ＵＥ）からの情報を受信することによって実行される、請求項１に記載の方法。
【請求項４】
前記情報は、ＭＢＳＦＮサービスに対するＵＥの関心、またはＭＢＳＦＮ信号強度のうちの少なくとも１つを示す報告を備える、請求項３に記載の方法。
【請求項５】
前記情報は、前記ＵＥからの物理ランダムアクセスチャネル（ＰＲＡＣＨ）信号を介して受信される、請求項３に記載の方法。
【請求項６】
前記ＵＥは、前記ＵＥによって測定されたＭＢＳＦＮ信号強度がしきい値よりも小さい場合のみ、前記情報を提供する、請求項３に記載の方法。
【請求項７】
前記動作することは、前記スモールセルからの前記ＭＢＳＦＮ信号を送信するための送信電力を設定することを備える、請求項１に記載の方法。
【請求項８】
前記送信電力を設定することは、前記スモールセルから送信されるべき連続したＭＢＳＦＮサブフレームの数に基づいて、前記送信電力をランプアップすることをさらに備える、請求項７に記載の方法。
【請求項９】
前記動作することは、前記スモールセルからＭＢＳＦＮ信号を送信するかどうかを決定することを備える、請求項１に記載の方法。
【請求項１０】
ＭＢＳＦＮ信号を送信するかどうかを前記決定することは、前記スモールセルがユニキャスト信号を送信しているかどうかにさらに基づく、請求項９に記載の方法。
【請求項１１】
前記スモールセルのＭＢＳＦＮ送信状態、ＭＢＳＦＮ送信電力、およびユニキャスト送信状態のうちの少なくとも１つをマルチキャスト協調エンティティ（ＭＣＥ）に報告することをさらに備える、請求項９に記載の方法。
【請求項１２】
前記ＭＣＥは、前記スモールセルがユニキャスト信号を送信しているかどうかに少なくとも部分的に基づいて、前記ＭＢＳＦＮ信号のためのデータレート変調コーディング方式（ＭＣＳ）を決定する、請求項１１に記載の方法。
【請求項１３】
前記動作することが、前記ＭＢＳＦＮ信号のデータ品質要件にさらに基づく、請求項１に記載の方法。
【請求項１４】
前記ＭＢＳＦＮ信号のデータレート変調コーディング方式（ＭＣＳ）、または前記スモールセルの無線範囲内の前記ＭＢＳＦＮ信号を受信するユーザ機器（ＵＥ）によって使用されたデータレートＭＣＳのうちの少なくとも１つに基づき、前記データ品質要件を決定すること、をさらに備える、請求項１３に記載の方法。
【請求項１５】
前記データ品質要件に基づいて、前記スモールセルによって送信されたＭＢＳＦＮシンボルの電力を変調することをさらに備える、請求項１３に記載の方法。
【請求項１６】
ワイヤレス通信のための装置であって、
スモールセルにおいて、マクロセルからのワイヤレスマルチキャストブロードキャスト単一周波数ネットワーク（ＭＢＳＦＮ）信号を受信するための手段と、ここで、前記スモールセルは、前記スモールセルを有するワイヤレス通信ネットワークにおける各マクロセルよりも実質的に小さい送信電力を有することを特徴とし、
前記スモールセルの無線範囲内の前記ＭＢＳＦＮ信号の測定値を取得するための手段と、
前記測定値に基づいて動作するための手段と、
を備える装置。
【請求項１７】
ワイヤレス通信のための装置であって、
スモールセルにおいて、マクロセルからのワイヤレスマルチキャストブロードキャスト単一周波数ネットワーク（ＭＢＳＦＮ）信号を受信することと、ここで、前記スモールセルは、前記スモールセルを有するワイヤレス通信ネットワークにおける各マクロセルよりも実質的に小さい送信電力を有することを特徴とし、前記スモールセルの無線範囲内の前記ＭＢＳＦＮ信号の測定値を取得することと、前記測定値に基づいて動作することと、を行うように構成された少なくとも１つのプロセッサと、
前記少なくとも１つのプロセッサに結合された、データを記憶するためのメモリと、
を備える装置。
【請求項１８】
前記プロセッサは、基準信号受信電力（ＲＳＲＰ）、基準信号受信品質（ＲＳＲＱ）、または信号対雑音比（ＳＮＲ）から選択されたメトリックを使用して、前記スモールセルにおいて受信された前記ＭＢＳＦＮ信号のメトリックを測定することによって、前記取得することを実行するようにさらに構成される、請求項１７に記載の装置。
【請求項１９】
前記プロセッサは、前記スモールセルの無線範囲におけるユーザ機器（ＵＥ）からの情報を受信することによって、前記取得することを実行するようにさらに構成される、請求項１７に記載の装置。
【請求項２０】
前記プロセッサは、ＭＢＳＦＮサービスに対するＵＥの関心、またはＭＢＳＦＮ信号強度のうちの少なくとも１つを示す報告を備える前記情報を前記受信するようにさらに構成される、請求項１９に記載の装置。
【請求項２１】
前記プロセッサは、前記ＵＥから物理ランダムアクセスチャネル（ＰＲＡＣＨ）信号を介して前記情報を受信するようにさらに構成される、請求項１９に記載の装置。
【請求項２２】
前記プロセッサは、前記スモールセルから前記ＭＢＳＦＮ信号を送信するための送信電力を設定することを備える前記動作することを実行するようにさらに構成される、請求項１７に記載の装置。
【請求項２３】
前記プロセッサは、前記スモールセルから送信されるべき連続したＭＢＳＦＮサブフレームの数に基づいて、前記送信電力をランプアップすることによって、前記送信電力を設定するようにさらに構成される、請求項２２に記載の装置。
【請求項２４】
前記プロセッサは、前記スモールセルからＭＢＳＦＮ信号を送信するかどうかを決定することを備える前記動作することを実行するようにさらに構成される、請求項１７に記載の装置。
【請求項２５】
前記プロセッサは、前記スモールセルがユニキャスト信号を送信しているかどうかにさらに基づいて、ＭＢＳＦＮ信号を送信するかどうかを前記決定することを実行するようにさらに構成される、請求項２４に記載の装置。
【請求項２６】
前記プロセッサは、前記スモールセルのＭＢＳＦＮ送信状態、ＭＢＳＦＮ送信電力、およびユニキャスト送信状態のうちの少なくとも１つをマルチキャスト協調エンティティ（ＭＣＥ）に報告するようにさらに構成される、請求項２４に記載の装置。
【請求項２７】
前記プロセッサは、前記ＭＢＳＦＮ信号のデータ品質要件にさらに基づいて、前記動作することを実行するようにさらに構成される、請求項１７に記載の装置。
【請求項２８】
前記プロセッサは、前記ＭＢＳＦＮ信号で使用されたデータレート変調コーディング方式（ＭＣＳ）、または前記スモールセルの無線範囲内の前記ＭＢＳＦＮ信号を受信するユーザ機器（ＵＥ）によって使用されたデータレートＭＣＳのうちの少なくとも１つに基づいて、前記データ品質要件を決定するようにさらに構成される、請求項２７に記載の装置。
【請求項２９】
前記プロセッサは、前記データ品質要件に基づいて、前記スモールセルによって送信されたＭＢＳＦＮシンボルの電力を変調するようにさらに構成される、請求項２７に記載の装置。
【請求項３０】
プロセッサによって実行されると、コンピュータに、
スモールセルにおいて、マクロセルからのワイヤレスマルチキャストブロードキャスト単一周波数ネットワーク（ＭＢＳＦＮ）信号を受信することと、ここで、前記スモールセルは、前記スモールセルを有するワイヤレス通信ネットワークにおける各マクロセルよりも実質的に小さい送信電力を有することを特徴とし、
前記スモールセルの無線範囲内の前記ＭＢＳＦＮ信号の測定値を取得することと、
前記測定値に基づいて動作することと、
を行わせる命令を保持する非一時的コンピュータ可読媒体。
【発明の詳細な説明】
【優先権の主張】
【０００１】
本出願は、その全体が参照により本明細書に組み込まれる、２０１３年３月１日に出願された仮出願第６１／７７１，７２６号の米国特許法第１１９条（ｅ）項に基づく優先権を主張する。
【技術分野】
【０００２】
関連出願の相互参照
本開示の態様は、一般にワイヤレス通信システムに関し、より詳細には、ワイヤレスネットワークのスモールセルを伴う発展型マルチメディアブロードキャストマルチキャストサービス（ｅＭＢＭＳ：Evolved Multimedia Broadcast Multicast Service）の実装を管理することに関する。
【背景技術】
【０００３】
[0003]ワイヤレス通信ネットワークは、音声、ビデオ、パケットデータ、メッセージング、ブロードキャストなどのような様々な通信サービスを提供するために広く展開されている。これらのワイヤレスネットワークは、利用可能なネットワークリソースを共有することによって複数のユーザをサポートすることが可能な多元接続ネットワークであってよい。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）の通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]３ｒｄ  Ｇｅｎｅｒａｔｉｏｎ  Ｐａｒｔｎｅｒｓｈｉｐ  Ｐｒｏｊｅｃｔ（３ＧＰＰ（登録商標））Ｌｏｎｇ  Ｔｅｒｍ  Ｅｖｏｌｕｔｉｏｎ（ＬＴＥ（登録商標））は、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））およびＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の発展形として、セルラー技術を進展させた。ＬＴＥ物理層（ＰＨＹ）は、発展型Ｎｏｄｅ  Ｂ（ｅＮＢ）のような基地局と、ＵＥのようなモバイルエンティティとの間でデータと制御情報の両方を搬送する効率的な方法を提供する。従来の適用形態では、マルチメディアのために高帯域幅通信を支援するための方法は、単一周波数ネットワーク（ＳＦＮ:single frequency network）動作であった。ＳＦＮは、たとえば、ｅＮＢのような無線送信機を利用して、加入者ＵＥと通信する。ユニキャスト動作では、各ｅＮＢは、１つまたは複数の特定の加入者ＵＥに向けられた情報を搬送する信号を送信するために制御される。ユニキャストシグナリングの特異性は、たとえば、音声通話、テキストメッセージング、またはビデオ通話のような、人対人のサービスを可能にする。
【０００６】
[0006]ブロードキャスト動作では、ブロードキャストエリア中のいくつかのｅＮＢが、同期された方式で複数の信号をブロードキャストし、ブロードキャストエリア中のいずれの加入者ＵＥによっても受信されアクセスされ得る情報を搬送する。ブロードキャスト動作の汎用性によって、公衆が関心を持つ情報、たとえば、イベント関連のマルチメディアブロードキャストを送信する際の効率を、より高くすることが可能になる。イベント関連のマルチメディアおよび他のブロードキャストサービスに対する需要およびシステム能力が向上してきたので、システムオペレータは、３ＧＰＰネットワークにおいてブロードキャスト動作を利用することに対して、さらに関心を示すようになった。同時に、ワイヤレスネットワークは、フェムトセルおよびピコセルなどの小型の低電力セルのますますの増加を見てきた。スモールセルからｅＭＢＭＳ信号をブロードキャストすることは、ハンドオーバ、アイドルモードの挙動を伴うワイヤレスネットワークにおける問題と、関連するスモールセルｅＭＢＭＳ管理問題とを提起する場合がある。
【発明の概要】
【０００７】
[0007]ワイヤレスネットワークのスモールセルを伴うｅＭＢＭＳの実装を管理するための方法、装置、およびシステムは、発明を実施するための形態において詳細に説明され、いくつかの態様が以下で要約される。この概要および以下の発明を実施するための形態は、統合された開示の補助的な部分として解釈されるべきであり、これらの部分は、重複する主題および／または補足的な主題を含み得る。いずれかのセクションの省略は、統合された適用例において説明される任意の要素の優先順位または相対的な重要性を示すものではない。セクション間の差は、代替実施形態の補足的な開示、追加の詳細、または異なる用語を使用した同一の実施形態の代替的説明を含むことがあり、このことはそれぞれの開示から明らかであるはずである。
【０００８】
[0008]一態様では、ワイヤレス通信のためのスモールセルによる方法は、スモールセルによって、マクロセルからのワイヤレスマルチキャストブロードキャスト単一周波数ネットワーク（ＭＢＳＦＮ：Multicast-Broadcast Single Frequency Network）信号を受信することを含み得、スモールセルは、スモールセルを有するワイヤレス通信ネットワークにおける各マクロセルよりも実質的に小さい送信電力を有することを特徴とする。本方法は、スモールセルが、スモールセルの無線範囲内のＭＢＳＦＮ信号の測定値を取得することをさらに含み得る。本方法は、スモールセルが、測定値に基づいて動作することをさらに含み得る。スモールセルは、ピコセル、フェムトセル、またはホーム発展型Ｎｏｄｅ  Ｂ（ＨｅＮＢ）のうちの少なくとも１つであり得るか、またはそれを含み得る。
【０００９】
[0009]一態様では、取得することは、スモールセルにおいて受信されたＭＢＳＦＮ信号のメトリックを測定することによって実行され得る。たとえば、メトリックは、基準信号受信電力（ＲＳＲＰ：Reference Signal Received Power）、基準信号受信品質（ＲＳＲＱ：Reference Signal Received Quality）、または信号対雑音比（ＳＮＲ：Signal-to-Noise Ratio）から選択され得る。
【００１０】
[0010]別の態様では、取得することは、スモールセルの無線範囲におけるユーザ機器（ＵＥ）からの情報を受信することによって実行され得る。そのような場合、情報は、ＵＥのＭＢＳＦＮサービスに対する関心、またはＭＢＳＦＮ信号強度のうちの少なくとも１つを示す報告を含み得る。情報は、たとえば、ＵＥからの物理ランダムアクセスチャネル（ＰＲＡＣＨ：Physical Random Access Channel）信号を介して、スモールセルによって受信され得る。一態様では、ＵＥは、ＵＥによって測定されたＭＢＳＦＮ信号強度がしきい値よりも小さい場合のみ、情報を提供し得る。
【００１１】
[0011]別の態様では、スモールセルが測定値に基づいて動作することは、スモールセルからＭＢＳＦＮ信号を送信するための送信電力を設定することを含み得る。たとえば、送信電力を設定することは、スモールセルから送信されるべき連続したＭＢＳＦＮサブフレームの数に基づいて、送信電力をランプアップすることを含み得る。
【００１２】
[0012]代替態様では、または追加として、動作することは、スモールセルからＭＢＳＦＮ信号を送信するかどうかを決定することを含み得る。ＭＢＳＦＮ信号を送信するかどうかを決定することを実行することは、たとえば、スモールセルがユニキャスト信号を送信しているかどうかにさらに基づき得る。スモールセルがＭＢＳＦＮ信号を送信している、または送信しようとしているとき、本方法は、スモールセルのＭＢＳＦＮ送信状態、ＭＢＳＦＮ送信電力、およびユニキャスト送信状態のうちの少なくとも１つをマルチキャスト協調エンティティ（ＭＣＥ：Multicast Coordinating Entity）に報告することをさらに含み得る。したがって、本方法の別の態様では、ＭＣＥは、スモールセルがユニキャスト信号を送信しているかどうかに少なくとも部分的に基づいて、ＭＢＳＦＮ信号のためのデータレート変調コーディング方式（ＭＣＳ：Modulation and Coding Scheme）を決定し得る。
【００１３】
[0013]代替態様では、または追加として、動作することは、ＭＢＳＦＮ信号のデータ品質要件にさらに基づき得る。そのような場合、本方法は、ＭＢＳＦＮ信号で使用されたデータレート変調コーディング方式（ＭＣＳ）に基づいて、データ品質要件を決定することをさらに含み得る。代替として、または追加として、本方法は、スモールセルの無線範囲内のＭＢＳＦＮ信号を受信するユーザ機器（ＵＥ）によって使用されたデータレート変調コーディング方式（ＭＣＳ）に基づいて、データ品質要件を決定することを含み得る。一態様では、本方法は、データ品質要件に基づいて、スモールセルによって送信されたＭＢＳＦＮシンボルの電力を変調することを含み得る。
【００１４】
[0014]別の態様では、ワイヤレス通信のためのモバイルエンティティによる方法は、モバイルエンティティによって、ネットワークから、ＭＢＭＳサービスをサポートするマクロセルまたは周波数またはスモールセルのうちの少なくとも１つについての周波数情報またはセルＩＤ情報のうちの少なくとも１つを受信することを含み得る。本方法は、ユーザのサービスに対する関心を示すユーザ関心情報を受信することを含み得る。本方法は、モバイルエンティティによって、ＭＢＭＳサービスに対する関心を示すユーザ関心情報に基づいて、セル再選択のためのマクロセルまたは周波数を優先順位付けすることをさらに含み得る。一態様では、モバイルエンティティはアイドル状態であり得る。
【００１５】
[0015]関係する態様では、上記で要約した方法と方法の態様とのいずれかを実行するためのワイヤレス通信装置が提供され得る。装置は、たとえば、メモリに結合されたプロセッサを含み得、ここで、メモリは、上記で説明された動作を装置に実行させるためにプロセッサが実行するための命令を保持する。そのような装置のいくつかの態様（たとえば、ハードウェア態様）は、モバイルエンティティなどの機器、たとえばモバイルエンティティまたはアクセス端末によって例示され得る。他の実施形態では、本技術の態様は、たとえば、基地局、ｅＮＢ、ピコセル、フェムトセルまたはＨｏｍｅ  Ｎｏｄｅ  Ｂなどのネットワークエンティティにおいて、特にスモールセルにおいて実装され得る。いくつかの態様では、モバイルエンティティおよびネットワークエンティティは、本明細書で説明される本技術の態様を実行するためにインタラクティブに動作し得る。同様に、プロセッサによって実行されると、上記で要約した方法と方法の態様とをネットワークエンティティまたはアクセス端末に実行させる、符号化された命令を保持するコンピュータ可読記憶媒体を含む、製造品が提供され得る。
【図面の簡単な説明】
【００１６】
【図１】遠隔通信（tele communication）システムのある例を概念的に示すブロック図。
【図２】遠隔通信システムにおけるダウンリンクフレーム構造のある例を概念的に示すブロック図。
【図３】本開示の一態様に従って構成された基地局／ｅＮＢおよびＵＥの設計を概念的に示すブロック図である概念的に示すブロック図。
【図４】レガシーキャリアタイプ（ＬＣＴ：legacy carrier type）スモールセルのオフ状態におけるダウンリンクフレームを示す図。
【図５】レガシーキャリアタイプ（ＬＣＴ）スモールセルの休止状態におけるダウンリンクフレームを示す図。
【図６】レガシーキャリアタイプ（ＬＣＴ）スモールセルのアクティブ状態におけるダウンリンクフレームを示す図。
【図７】拡張型ニューキャリアタイプ（ｅＮＣＴ：enhanced new carrier type）スモールセルのオフ状態におけるダウンリンクフレームを示す図。
【図８】拡張型ニューキャリアタイプ（ｅＮＣＴ）スモールセルの休止状態におけるダウンリンクフレームを示す図。
【図９】拡張型ニューキャリアタイプ（ｅＮＣＴ）スモールセルのアクティブ状態におけるダウンリンクフレームを示す図。
【図１０】３ＧＰＰにおける展開されたスモールセルを有する現行のアーキテクチャ全体を示す図。
【図１１】スモールセルを有するｅＭＢＭＳ論理アーキテクチャを示す図。
【図１２】スモールセル（低電力アクセスノード）において実行されるｅＭＢＭＳサービスを管理するための方法の一実施形態を示す図。
【図１３】スモールセル（低電力アクセスノード）において実行されるｅＭＢＭＳサービスを管理するための方法の一実施形態を示す図。
【図１４】スモールセル（低電力アクセスノード）において実行されるｅＭＢＭＳサービスを管理するための方法の一実施形態を示す図。
【図１５】スモールセル（低電力アクセスノード）において実行されるｅＭＢＭＳサービスを管理するための方法の一実施形態を示す図。
【図１６】スモールセル（低電力アクセスノード）において実行されるｅＭＢＭＳサービスを管理するための方法の一実施形態を示す図。
【図１７】スモールセル（低電力アクセスノード）において実行されるｅＭＢＭＳサービスを管理するための方法の一実施形態を示す図。
【図１８】図１２〜図１７の方法による、ｅＭＢＭＳサービスを管理するためのスモールセル装置の一実施形態を示す図。
【図１９】モバイルエンティティにおいて実行されるセル再選択のための方法の一実施形態を示す図。
【図２０】図１９の方法による、セル再選択のための装置の一実施形態を示す図。
【発明を実施するための形態】
【００１７】
[0027]添付の図面に関して以下に示される発明を実施するための形態は、様々な構成を説明するものであり、本明細書で説明される概念が実施され得る唯一の構成を表すものではない。発明を実施するための形態は、様々な概念の完全な理解を与えるための具体的な詳細を含む。しかしながら、これらの概念はこれらの具体的な詳細を伴わずに実施され得ることが当業者には明らかであろう。いくつかの例では、そのような概念を不明瞭にしないように、よく知られている構造およびコンポーネントをブロック図の形式で示す。
【００１８】
[0028]本明細書で説明される技法は、ＣＤＭＡ、ＴＤＭＡ、ＦＤＭＡ、ＯＦＤＭＡ、ＳＣ−ＦＤＭＡおよび他のネットワークのような、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ  ＣＤＭＡ（ＷＣＤＭＡ（登録商標））およびＣＤＭＡの他の変形を含む。ｃｄｍａ２０００は、ＩＳ−２０００規格と、ＩＳ−９５規格と、ＩＳ−８５６規格とをカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどのような無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ
Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明される技法は、上記のワイヤレスネットワークおよび無線技術、ならびに他のワイヤレスネットワークおよび無線技術に使用され得る。明快のために、本技法のいくつかの態様は以下ではＬＴＥに関して説明され、以下の説明の大部分でＬＴＥ用語が使用される。
【００１９】
[0029]図１は、ワイヤレス通信ネットワーク１００を示し、これはＬＴＥネットワークであり得る。ワイヤレスネットワーク１００は、いくつかのｅＮＢ１１０と他のネットワークエンティティとを含み得る。ｅＮＢは、ＵＥと通信する局であってよく、基地局、Ｎｏｄｅ  Ｂ、アクセスポイント、または他の用語でも呼ばれ得る。各ｅＮＢ１１０ａ、１１０ｂ、１１０ｃは、特定の地理的エリアに対して通信カバレッジを提供することができる。３ＧＰＰでは、「セル」という用語は、この用語が使用される状況に応じて、ｅＮＢのカバレッジエリアおよび／またはこのカバレッジエリアにサービスしているｅＮＢサブシステムを指すことがある。
【００２０】
[0030]ｅＮＢは、マクロセル、ピコセル、フェムトセル、および／または他のタイプのセルに通信カバレッジを提供し得る。マクロセルは、比較的大きい地理的エリア（たとえば、半径数キロメートル）をカバーでき、サービスに加入しているＵＥによる無制限アクセスを可能にし得る。ピコセルは、比較的小さい地理的エリアをカバーでき、サービスに加入しているＵＥによる無制限アクセスを可能にし得る。フェムトセルは、比較的小さい地理的エリア（たとえば、自宅）をカバーでき、フェムトセルとの関連を有するＵＥ（たとえば、限定加入者グループ（ＣＳＧ）中のＵＥ、自宅内のユーザのためのＵＥなど）による限定アクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例では、ｅＮＢ１１０ａ、１１０ｂ、および１１０ｃは、それぞれマクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートすることができる。フェムトセルおよびピコセルは、スモールセルの例である。本明細書で使用される場合、スモールセルは、スモールセルを有するネットワークにおける各マクロセルよりも実質的に小さい送信電力を有することを特徴とするセル、たとえば、３ＧＰＰ技術報告（Ｔ．Ｒ．:Technical Report）３６．９３２セクション４で定義されるような低電力アクセスノードを意味する。
【００２１】
[0031]ワイヤレスネットワーク１００はまた、リレー１１０ｒを含み得る。リレーは、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送信する局である。リレーはまた、他のＵＥに対する送信を中継するＵＥであってよい。図１に示される例では、リレー１１０ｒは、ｅＮＢ１１０ａとＵＥ１２０ｒとの間の通信を支援するために、ｅＮＢ１１０ａおよびＵＥ１２０ｒと通信し得る。リレーは、リレーｅＮＢ、リレーなどと呼ばれることもある。
【００２２】
[0032]ワイヤレスネットワーク１００は、様々なタイプのｅＮＢ、たとえば、マクロｅＮＢ、ピコｅＮＢ、フェムトｅＮＢ、リレーなどを含む異種ネットワークであり得る。これらの様々なタイプのｅＮＢは、様々な送信出力レベル、様々なカバレッジエリア、およびワイヤレスネットワーク１００中の干渉に対する様々な影響を有し得る。たとえば、マクロｅＮＢは、高い送信電力レベル（たとえば、５〜２０ワット）を有し得るが、ピコｅＮＢ、フェムトｅＮＢ、およびリレーは、より低い送信電力レベル（たとえば、０．１〜２ワット）を有し得る。
【００２３】
[0033]ワイヤレスネットワーク１００は、同期動作または非同期動作をサポートし得る。同期動作の場合、ｅＮＢは同様のフレームタイミングを有してよく、異なるｅＮＢからの送信は時間的に概ね整合され得る。非同期動作の場合、ｅＮＢは異なるフレームタイミングを有することがあり、異なるｅＮＢからの送信は時間的に整合されないことがある。本明細書で説明される技法は、同期動作と非同期動作の両方のために使用され得る。
【００２４】
[0034]ネットワークコントローラ１３０は、ｅＮＢのセットに結合し、これらのｅＮＢの協調と制御とを行い得る。ネットワークコントローラ１３０は、バックホールを介してｅＮＢ１１０と通信し得る。ｅＮＢ１１０はまた、たとえば、直接、またはワイヤレスバックホールもしくは有線バックホールを介して間接的に、互いに通信し得る。
【００２５】
[0035]ＵＥ１２０は、ワイヤレスネットワーク１００全体にわたって分散されてよく、各ＵＥは、固定式でも移動式でもよい。ＵＥはまた、端末、移動局、加入者装置、局、スマートフォンなどとも呼ばれ得る。ＵＥは、携帯電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、または他のモバイルエンティティであり得る。ＵＥは、マクロｅＮＢ、ピコｅＮＢ、フェムトｅＮＢ、リレー、または他のネットワークエンティティと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の、所望の送信を示す。両矢印付きの破線は、ＵＥとｅＮＢとの間の干渉する送信を示す。
【００２６】
[0036]ＬＴＥは、ダウンリンクで直交周波数分割多重化（ＯＦＤＭ）を利用し、アップリンクでシングルキャリア周波数分割多重化（ＳＣ−ＦＤＭ）を利用する。ＯＦＤＭおよびＳＣ−ＦＤＭは、システム帯域幅を、一般にトーン、またはビンとも呼ばれ得る複数（Ｋ）個の直交サブキャリアに分割する。各サブキャリアはデータで変調され得る。一般に、変調シンボルは、ＯＦＤＭでは周波数領域で、ＳＣ−ＦＤＭでは時間領域で送信される。隣接するサブキャリア間の間隔は固定されていてよく、サブキャリアの総数（Ｋ）はシステム帯域幅に依存し得る。たとえば、Ｋは、それぞれ１．２５、２．５、５、１０または２０メガヘルツ（ＭＨｚ）のシステム帯域幅に対して、１２８、２５６、５１２、１０２４または２０４８に等しくてよい。システム帯域幅は、また、複数のサブバンドに区分され得る。たとえば、サブバンドは１．０８ＭＨｚをカバーでき、１．２５、２．５、５、１０、または２０ＭＨｚのシステム帯域幅に対して、それぞれ１個、２個、４個、８個、または１６個のサブバンドがあり得る。
【００２７】
[0037]図２は、ＬＴＥにおいて使用されるダウンリンクフレーム構造２００を示す。ダウンリンクの送信タイムラインは、無線フレームの単位に区分され得る。各無線フレーム２１０は、所定の期間（たとえば、１０ミリ秒（ｍｓ））を有してよく、０〜９のインデックスをもつ１０個のサブフレーム２２０に区分され得る。各サブフレームは、２個のスロットを含み得る。したがって、各無線フレームは、０〜１９のインデックスをもつ２０個のスロット２３０を含み得る。各スロットは、「Ｌ」個のシンボル期間、たとえば、図２に示されるようにノーマルサイクリックプレフィックス（ＣＰ）の場合は７個のシンボル期間、または拡張サイクリックプレフィックスの場合は６個のシンボル期間を含み得る。ノーマルＣＰおよび拡張ＣＰは、本明細書では異なるＣＰのタイプとして言及され得る。各サブフレーム中の２Ｌ個のシンボル期間には、０〜２Ｌ−１のインデックスが割り当てられ得る。利用可能な時間周波数リソースは、リソースブロックに区分され得る。各リソースブロックは、１つのスロット中でＮ個のサブキャリア（たとえば、１２個のサブキャリア）をカバーし得る。
【００２８】
[0038]ＬＴＥでは、ｅＮＢは、ｅＮＢ中の各セルに関する１次同期信号（ＰＳＳ）と２次同期信号（ＳＳＳ）とを送信し得る。１次同期信号および２次同期信号は、図２に示されるように、それぞれ、ノーマルサイクリックプレフィックスをもつ各無線フレームのサブフレーム０および５の各々の中のシンボル期間６および５の中で送信され得る。同期信号は、セル検出および取得のためにＵＥによって使用され得る。ｅＮＢは、サブフレーム０のスロット１中のシンボル期間０〜３中で物理ブロードキャストチャネル（ＰＢＣＨ）を送信し得る。ＰＢＣＨは何らかのシステム情報を搬送し得る。
【００２９】
[0039]ｅＮＢは、図２の第１のシンボル期間の全体の中に示されているが、各サブフレームの第１のシンボル期間の一部のみの中で、物理制御フォーマットインジケータチャネル（ＰＣＦＩＣＨ）を送信し得る。ＰＣＦＩＣＨは、制御チャネルのために使用されるいくつか（Ｍ個）のシンボル期間を搬送することができ、ここで、Ｍは、１、２または３に等しくてよく、サブフレームごとに変化し得る。Ｍはまた、たとえば、リソースブロックが１０個未満である小さいシステム帯域幅では、４に等しくてよい。図２に示される例では、Ｍ＝３である。ｅＮＢは、各サブフレームの最初のＭ個のシンボル期間の中で（図２ではＭ＝３）、物理ＨＡＲＱインジケータチャネル（ＰＨＩＣＨ）と物理ダウンリンク制御チャネル（ＰＤＣＣＨ）とを送信し得る。ＰＨＩＣＨは、ハイブリッド自動再送（ＨＡＲＱ）をサポートするための情報を搬送し得る。ＰＤＣＣＨは、ＵＥのためのリソース割り当てに関する情報と、ダウンリンクチャネルのための制御情報とを搬送し得る。図２の第１のシンボル期間の中には示されていないが、ＰＤＣＣＨおよびＰＨＩＣＨは、第１のシンボル期間の中にも含まれることが理解される。同様に、ＰＨＩＣＨおよびＰＤＣＣＨはまた、第２のシンボル期間と第３のシンボル期間の両方の中にあるが、図２にはそのようには示されていない。ｅＮＢは、各サブフレームの残りのシンボル期間中に物理ダウンリンク共有チャネル（ＰＤＳＣＨ）を送信し得る。ＰＤＳＣＨは、ダウンリンク上でのデータ送信のためにスケジューリングされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ３６．２１１に記載されている。
【００３０】
[0040]ｅＮＢは、ｅＮＢによって使用されるシステム帯域幅の中心１．０８ＭＨｚにおいて、ＰＳＳと、ＳＳＳと、ＰＢＣＨと、を送信し得る。ｅＮＢは、これらのチャネルが送信される各シンボル期間中のシステム帯域幅全体にわたって、ＰＣＦＩＣＨとＰＨＩＣＨとを送信し得る。ｅＮＢは、システム帯域幅のいくつかの部分においてＵＥのグループにＰＤＣＣＨを送信し得る。ｅＮＢは、システム帯域幅の特定の部分において特定のＵＥにＰＤＳＣＨを送信し得る。ｅＮＢは、すべてのＵＥにブロードキャスト方式で、ＰＳＳと、ＳＳＳと、ＰＢＣＨと、ＰＣＦＩＣＨと、ＰＨＩＣＨとを送信することができ、特定のＵＥにユニキャスト方式でＰＤＣＣＨを送信することができ、また特定のＵＥにユニキャスト方式でＰＤＳＣＨを送信することができる。
【００３１】
[0041]各シンボル期間において、いくつかのリソース要素が利用可能であり得る。各リソース要素は、１つのシンボル期間中の１つのサブキャリアをカバーし得、実数値または複素数値であり得る１つの変調シンボルを送信するために使用され得る。各シンボル期間中に基準信号のために使用されないリソース要素は、リソース要素グループ（ＲＥＧ）中に配置され得る。各ＲＥＧは、１つのシンボル期間中の４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属していてよく、またはシンボル期間０、１および２中に分散していてよい。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみが、ＰＤＣＣＨに対して可能にされ得る。
【００３２】
[0042]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいて、ＵＥにＰＤＣＣＨを送り得る。
【００３３】
[0043]ＵＥは、複数のｅＮＢのカバレッジ内にあり得る。そのＵＥをサービスするために、これらのｅＮＢのうちの１つが選択され得る。サービングｅＮＢは、受信電力、経路損失、信号対雑音比（ＳＮＲ）、または他のパラメータなどの様々な基準に基づいて選択され得る。一態様では、セル再選択は、ｅＮＢがマクロセルであるかどうかと、ｅＮＢが関心のあるＭＢＭＳサービスをユーザにブロードキャストしているかどうかとに基づいて、優先順位付けされ得る。
【００３４】
[0044]図３は、図１の基地局／ｅＮＢの１つおよびＵＥの１つであり得る、基地局／ｅＮＢ１１０およびＵＥ１２０の設計を示すブロック図を示す。制限された関連付けの状況では、基地局１１０は図１のマクロｅＮＢ１１０ｃであってよく、ＵＥ１２０はＵＥ１２０ｙであってよい。基地局１１０はまた、何らかの他のタイプの基地局であり得る。基地局１１０は、アンテナ３３４ａ〜３３４ｔを備えてよく、ＵＥ１２０は、アンテナ３５２ａ〜３５２ｒを備えてよい。
【００３５】
[0045]基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データと制御情報とを処理（たとえば、符号化およびシンボルマッピング）して、それぞれデータシンボルと制御シンボルとを取得し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行することができ、出力シンボルストリームを変調器（ＭＯＤ）３３２ａ〜３３２ｔに与えることができる。各変調器３３２は、（たとえば、ＯＦＤＭなどの）それぞれの出力シンボルストリームを処理して、出力サンプルストリームを取得し得る。各変調器３３２はさらに、出力サンプルストリームを処理（たとえば、アナログへの変換、増幅、フィルタリング、およびアップコンバート）して、ダウンリンク信号を取得することができる。変調器３３２ａ〜３３２ｔからのダウンリンク信号は、それぞれアンテナ３３４ａ〜３３４ｔを介して送信され得る。
【００３６】
[0046]ＵＥ１２０において、アンテナ３５２ａ〜３５２ｒは、基地局１１０からダウンリンク信号を受信でき、受信された信号をそれぞれ復調器（ＤＥＭＯＤ）３５４ａ〜３５４ｒに与えることができる。各復調器３５４は、それぞれの受信された信号を調整（たとえば、フィルタリング、増幅、ダウンコンバート、およびデジタル化）して、入力サンプルを得ることができる。各復調器３５４は、さらに、（たとえば、ＯＦＤＭなどの）入力サンプルを処理して、受信されたシンボルを取得することができる。ＭＩＭＯ検出器３５６は、すべての復調器３５４ａ〜３５４ｒから受信シンボルを得て、可能な場合は受信されたシンボルに対してＭＩＭＯ検出を実行し、検出されたシンボルを与えることができる。受信プロセッサ３５８は、検出されたシンボルを処理（たとえば、復調、デインターリーブ、および復号）し、ＵＥ１２０の復号されたデータをデータシンク３６０に与え、復号された制御情報をコントローラ／プロセッサ３８０に与えることができる。
【００３７】
[0047]アップリンク上では、ＵＥ１２０において、送信プロセッサ３６４は、データソース３６２から（たとえば、ＰＵＳＣＨのための）データを受信し処理でき、コントローラ／プロセッサ３８０から（たとえば、ＰＵＣＣＨのための）制御情報を受信し処理できる。プロセッサ３６４はまた、基準信号のための基準シンボルを生成することができる。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、基地局１１０に送信され得る。基地局１１０において、ＵＥ１２０からのアップリンク信号は、アンテナ３３４によって受信され、復調器３３２によって処理され、可能な場合はＭＩＭＯ検出器３３６によって検出され、さらに受信プロセッサ３３８によって処理されて、ＵＥ１２０によって送信される復号されたデータと制御情報とを得ることができる。プロセッサ３３８は、復号されたデータをデータシンク３３９に与え、復号された制御情報をコントローラ／プロセッサ３４０に与えることができる。
【００３８】
[0048]コントローラ／プロセッサ３４０および３８０は、それぞれ基地局１１０およびＵＥ１２０における動作を指示し得る。基地局１１０におけるプロセッサ３４０および／または他のプロセッサとモジュールは、図１２〜図１７に例示されている機能ブロック、および／または本明細書で説明されている技法の他の処理を、実行し、または実行を指示することもできる。ＵＥ１２０におけるプロセッサ３８０および／または他のプロセッサとモジュールは、図１９に例示されている機能ブロック、および／または本明細書で説明されている技法の他の処理を、実行し、または実行を指示することもできる。メモリ３４２および３８２は、基地局１１０およびＵＥ１２０のために、それぞれ、データとプログラムコードとを記憶し得る。スケジューラ３４４は、ダウンリンク上および／またはアップリンク上でのデータ送信のためにＵＥをスケジューリングし得る。
【００３９】
[0049]一構成では、ワイヤレス通信のためのＵＥ１２０は、ＵＥの接続モード中に干渉基地局からの干渉を検出するための手段と、干渉基地局の与えられた（yielded）リソースを選択するための手段と、与えられたリソース上の物理ダウンリンク制御チャネルのエラーレートを取得するための手段と、エラーレートが所定のレベルを超えたことに応答して実行可能である、無線リンク障害を宣言するための手段とを含む。一態様では、上述の手段は、上述の手段によって列挙される機能を実行するように構成された（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２ａとすることができる。別の態様では、上述の手段は、上述の手段によって列挙される機能を実行するように構成されたモジュールまたは任意の装置とすることができる。
【００４０】
単一周波数ネットワークにおけるｅＭＢＭＳおよびユニキャストシグナリング
[0050]マルチメディアのために高帯域幅通信を支援するための１つの機構は、単一周波数ネットワーク（ＳＦＮ）動作であった。具体的には、発展型ＭＢＭＳ（ｅＭＢＭＳ）（たとえば、ＬＴＥの分野ではマルチメディアブロードキャスト単一周波数ネットワーク（ＭＢＳＦＮ）として最近知られるようになっているものを含むとしても知られる、マルチメディアブロードキャストマルチキャストサービス（ＭＢＭＳ）およびＬＴＥのためのＭＢＭＳは、そのようなＳＦＮ動作を利用することができる。ＳＦＮは、たとえば、ｅＮＢのような無線送信機を利用して、加入者ＵＥと通信する。ｅＮＢのグループは、双方向情報を同期した方式で送信できるので、信号は互いに干渉するのではなく、互いに補強し合う。ｅＭＢＭＳの使用は、たとえばＵＥなどの複数のモバイルエンティティに、ＬＴＥネットワークから共有コンテンツを送信する効率的な方法を提供し得る。
【００４１】
[0051]ＬＴＥ  ＦＤＤのためのｅＭＢＭＳの物理層（ＰＨＹ）に関して、チャネル構造は、混合されたキャリア上でｅＭＢＭＳ送信とユニキャスト送信を区分する、時分割多重化（ＴＤＭ）リソースを備えてよく、これによって、柔軟で動的なスペクトルの利用が可能になる。現在、マルチメディアブロードキャスト単一周波数ネットワーク（ＭＢＳＦＮ）サブフレームとして知られる、サブフレームのサブセット（最大で６０％）が、ｅＭＢＭＳ送信のために確保され（reserved）得る。したがって、現在のｅＭＢＭＳ設計は、１０個のサブフレームのうち最大で６個をｅＭＢＭＳのために許可する。
【００４２】
スモールセルｅＭＢＭＳ  −  概要
[0052]スモールセルは、本明細書で使用される場合、３ＧＰＰ  Ｔ．Ｒ．３６．９３２セクション４で定義されるような低電力アクセスノードを意味する。低電力ノードを使用するスモールセルは３ＧＰＰリリース１２で考慮されており、３ＧＰＰリリース９以降、ＭＢＭＳサポートが含まれているピコセルを含み得る。スモールセルにおけるｅＭＢＭＳの展開は、マクロセルからユニキャストトラフィックをオフロードし、システム容量を改善するために使用され得る。加えて、スモールセル展開を伴うｅＭＢＭＳは、ＭＢＭＳサービスを受信することに関心があるＵＥのハンドオーバイベントを軽減するために使用され得る。
【００４３】
[0053]本開示は、ｅＭＢＭＳスモールセル展開に関するいくつかの特徴を提案する。これらの特徴は、ＵＥがｅＭＢＭＳサービスに関心がある場合、ＵＥに、より高い選択優先順位をマクロ層またはセルに割り当てさせることを含み得る。サービスを受信することについての追加の情報を受信もしくは取得するべきである、またはサービスを受信しようとしているとＵＥが決定した場合、ＵＥはサービスを受信することに関心がある。コアネットワークは、マクロ層またはマクロセル情報を関心があるＵＥに示し得る。これらの特徴は高密度のスモールセル展開において有用であり得、ここにおいて、１つまたは複数のスモールセルは、同じマクロセルの無線範囲内に展開される。
【００４４】
[0054]加えて、特徴は、スモールセルが物理マルチキャストチャネル（ＰＭＣＨ）上で送信しているかどうかに基づいて、スモールセルの休止状態とアクティブ状態の区別を採用することを含み得る。休止状態およびアクティブ状態は、スモールセルからのユニキャスト送信とは無関係であり得る。
【００４５】
[0055]特徴は、受信されたＭＢＳＦＮ信号強度の指示に基づいて、スモールセルがＰＭＣＨを送信するべきかどうかを決定することをさらに含み得る。信号強度の指示は、ＭＢＳＦＮ信号測定を行うスモールセルによって取得され得る。代替として、または加えて、ＵＥはＭＢＭＳ指示と測定報告とをスモールセルに提供し得る。関心があるＵＥがスモールセルによって検出されないか、またはＭＢＳＦＮ送信へのスモールセルの関与なしでＭＢＳＦＮ信号強度が十分である場合、スモールセルはＭＢＳＦＮ送信を開始しない場合がある。
【００４６】
[0056]特徴は、１つまたは複数のスモールセルの休止状態またはアクティブ状態を考慮してマルチキャストコーディング方式（ＭＣＳ）を選択することをさらに含み得る。たとえば、ＭＣＥまたは他のネットワークエンティティは、ＭＢＳＦＮ送信のためのＭＣＳを選択するための処理への入力として、スモールセルの休止／アクティブ状態を使用し得る。ネットワークは、ＭＢＳＦＮ送信をオンにする１つまたは複数のスモールセルを考慮するようにＭＣＳを選択し得る。ＭＣＳを選択するための処理は、可能な場合、スモールセルにおいてＭＢＳＦＮ送信とユニキャスト送信とを整合(align)させる戦略を使用し得る。たとえば、ＵＥ向けのＭＢＭＳサービスおよびユニキャストサービスは、異なる隣接するスモールセルからＵＥ（またはＵＳのセット）に提供されるのではなく、単一のスモールセルによって提供されるべきである。
【００４７】
スモールセルを使用するｅＭＢＭＳに対するアイドルＵＥの挙動
[0057]セル再選択を実行するときにｅＭＢＭＳサービスを受信することに関心があるＵＥは、マクロセルからよりもスモールセルからのＭＢＳＦＮ信号が強い場合であっても、スモールセルがサービスを提供するのではなく、その同じサービスを提供するマクロ層またはセルに、より高い優先順位を割り当て得る。たとえば、ＵＥがマクロセルから受信され得るｅＭＢＭＳサービスに関心がある限り、マクロセルには、任意の候補スモールセルよりも高い優先順位が割り当てられ得る。この手法は、キャンプオンしたセルの頻繁な切替えと、システム情報の読取りおよびページングなど、セル切替えに関連付けられた対応するオーバーヘッドアクティビティとを回避することができる。
【００４８】
[0058]セル再選択中にマクロセルの優先順位付けを実施するために、ＵＥはマクロ層識別子またはセル識別子（ＩＤ）を認識する必要があり得る。たとえばＢＭ−ＳＣで使用される現在のＭＢＭＳユーザサービス記述（ＵＳＤ）は、ＭＢＭＳ周波数層を示すために使用され得る。たとえば、一実装形態では、ＵＳＤは、スモールセル周波数層を除外しながら、１つまたは複数のマクロ周波数層を識別し得る。代替として、または加えて、近隣マクロセルＩＤは、ＭＢＭＳサービスをサポートするマクロセルを示すためにＵＥに提供されるシステム情報ブロック（ＳＩＢ）に追加され得る。
【００４９】
[0059]ＭＢＭＳベースの優先順位付けは、高モビリティ状況（たとえば、車両などにおいて高速で移動するモバイルＵＥ）におけるＵＥの挙動と相互作用し得る。セル選択におけるそのような優先順位付けは、ＵＥの速度とは無関係であってもよく、または、実装形態に応じて、ＵＥの速度に部分的に依存して得る。
【００５０】
スモールセルを用いるｅＭＢＭＳに対する接続ＵＥの挙動
[0060]ｅＭＢＭＳに関心があるＵＥは、高密度のスモールセル展開における交差する多数のスモールセル境界によって引き起こされる頻繁なハンドオーバを軽減するために、マクロ層またはセルにハンドオーバされ得る。たとえば、「ＭＢＭＳＩｎｔｅｒｅｓｔＩｎｄｉｃａｔｉｏｎ」は、ＭＢＭＳへの関心を示すためにＵＥによって使用され得る。ＵＥが関心があるサービスを有する周波数層と、ユニキャストとｅＭＢＭＳとの間の優先順位とは、ＭＢＭＳＩｎｔｅｒｅｓｔＩｎｄｉｃａｔｉｏｎに含まれ得る。ＵＥからＭＢＭＳＩｎｔｅｒｅｓｔＩｎｄｉｃａｔｉｏｎ信号を受信することによって、ｅＮＢはＵＥがｅＭＢＭＳに関心があるかどうかを決定することができ、この情報をハンドオーバに使用することができる。
【００５１】
ＭＢＳＦＮ測定値に基づくｅＭＢＭＳスモールセルの挙動
[0061]スモールセルは、休止状態またはアクティブ状態であるとき、ＭＢＳＦＮ信号測定を定期的に実行することができる。スモールセルは、たとえば、マクロセルまたは近隣のスモールセルからの信号を含む、任意の受信されたＭＢＳＦＮ信号を測定するために、ＭＢＳＦＮ基準信号受信電力（ＲＳＲＰ）、基準信号受信品質（ＲＳＲＱ）または信号対雑音比（ＳＮＲ）を測定することができる。スモールセルは、いくつかのＵＥ機能（たとえば、位置測定、信号測定）を含み、そのような測定を周期的に実行するこの機能を使用することができる。同時に、マクロセルと同様に、ＵＥとは異なり、スモールセルはバックホール通信を介してマルチキャスト協調エンティティ（ＭＣＥ）またはｅＮＢからマルチキャスト制御チャネル（ＭＣＣＨ）を受信することができる。
【００５２】
[0062]ＭＢＳＦＮ信号の現在の測定値に基づいて、スモールセルは所定のアクションを取ることができる。たとえば、ＭＢＳＦＮ信号品質がＰＭＣＨ復号に十分ではないことを測定値が示すとき、休止スモールセルがＰＭＣＨ信号をブロードキャストすることができる。ＰＭＣＨ信号は、ＭＢＳＦＮ  ＲＳとデータの両方を含み得る。加えて、スモールセルは、測定されたＭＢＳＦＮ信号強度に応じて実際のＰＭＣＨ送信電力を決定する（たとえば、設定する）ことができる。さらなる例として、休止スモールセルは、ＵＥに対する実装形態の影響を最小限に抑えるために、連続したＭＢＳＦＮサブフレームの数に応じてＭＢＳＦＮ送信電力をランプアップすることができる。
【００５３】
[0063]加えて、スモールセルは、ＭＢＭＳ管理の他の態様を制御するために、信号強度測定値を使用し得る。たとえば、ＭＢＳＦＮ信号強度に応じて、アクティブスモールセルはミュートするか、またはＰＭＣＨシンボルを送信するために、ユニキャストまたはスモールセルのフル送信電力と比較して低減された電力を使用することができる。電力低減の程度は、ＰＭＣＨ品質要件に基づき得る。たとえば、アクティブスモールセルは、現在のＭＣＳに基づく信号しきい値（たとえば、ＭＢＳＦＮ  ＲＳＲＰ、ＲＳＲＱ、またはＳＮＲ）に近づくか、または達するまで、送信電力を段階的に低減することができる。今度は、ＰＭＣＨ品質要件は、ｅＭＢＭＳサービス用のＭＣＣＨに列挙された最も高いＭＣＳに基づくか、またはスモールセルによってサービスされているＵＥによって使用されている最も高いＭＣＳに基づき得る。ＭＢＳＦＮ信号はユニキャスト信号に干渉しないので、ＰＭＣＨ信号の送信またはミューティングは現在のワイヤレス３ＧＰＰネットワークにおいて追加のハンドオーバイベントを生じさせないことを諒解されたい。ＰＭＣＨ信号上の電力変動によるＵＥ実装形態に対するいかなる影響も、非因果的（エンドオブサブフレーム（end-of-subframe））自動利得制御（ＡＧＣ）またはｅＭＢＭＳ固有のＡＧＣによって緩和され得る。
【００５４】
ＵＥ報告に基づくｅＭＢＭＳスモールセルの挙動
[0064]スモールセルによるＭＢＳＦＮ測定は、スモールセルとＵＥとの間の位置の違いにより、スモールセルのカバレッジ内のすべてのＵＥを表すほど十分に正確ではない場合がある。カバレッジにおけるＵＥによって経験される信号強度は、カバレッジを提供するスモールセルによって見られる信号強度とは異なる。加えて、いくつかのスモールセル実装形態は、スモールセルにおいて信号測定をサポートしない場合がある。一般に、スモールセルは、スモールセルのカバレッジにおけるＵＥがｅＭＢＭＳサービスを受信することに関心があるかどうかを認識していない。
【００５５】
[0065]一態様では、ＰＭＣＨ信号の送信はＵＥ報告に基づき得る。そのようなＵＥ報告は、ＵＥのＭＢＭＳ関心と、ＵＥによって測定された受信されたＭＢＳＦＮ信号強度とを示し得る。ＭＢＭＳ関心指示は、既存の技法を使用して、ＲＲＣ接続されたＵＥによって提供され得ることを諒解されたい。しかしながら、現在の規格では、ＵＥによるスモールセルへのＭＢＳＦＮ信号測定報告は提供されていない。したがって、ＭＢＳＦＮ信号測定のサポートと、ＵＥによる報告とについての規定を追加することが望ましい場合がある。測定報告は、ＭＢＭＳ関心指示メッセージにおいてもしくは別個の測定報告においてスモールセルに提供されるか、またはユニキャスト測定報告において一緒にバンドルされ得る。
【００５６】
[0066]スモールセルによってサービスされているアイドルＵＥの場合、スモールセルへのＭＢＭＳ関心の報告は、ＵＥを接続状態に遷移させ、接続ＵＥについて上記で概説した手順に従うことによって、処理され得る。スモールセルのユニキャスト容量が問題となってはならないので、この手法はオーバーヘッドの許容できない増加を引き起こしてはならない。有利には、この手法は、測定報告について上記で概説した変更以外の変更をワイヤレス規格に対して行うことを必要としない。
【００５７】
[0067]代替として、アイドルＵＥを接続状態に遷移させる代わりに、アイドルＵＥは、特殊な物理ランダムアクセスチャネル（ＰＲＡＣＨ）シグナリングを使用することができる。ＰＲＡＣＨシグナリングを介して送信されたＭＢＳＦＮ測定値は、ＰＲＡＣＨ信号を送信するときにチャネル品質指示（ＣＱＩ：Channel Quality Indication）指示がＵＥによって処理される方法と同様に処理され得る。たとえば、ＭＢＳＦＮ測定値が特定のしきい値以上である場合、ＵＥはＭＢＳＦＮ測定値が高いことをシグナリングする第１のＰＲＡＣＨシーケンスを送信することができ、ＭＢＳＦＮ測定値がしきい値を下回る場合、ＵＥはＭＢＳＦＮ測定値が低いことをシグナリングする第２のＰＲＡＣＨシーケンスを送信することができる。追加のＰＲＡＣＨシーケンスを使用して、より多くのＭＢＳＦＮ測定値がシグナリングされ得る。有利には、一般的なスモールセルは多数のＵＥを処理する必要がなく、したがって、ＰＲＡＣＨ帯域幅はほとんどの状況で追加の信号指示を処理する容量を有するはずである。
【００５８】
[0068]加えて、ＵＥは、上記で概説したＣＱＩインジケーティングと同様に、ＰＲＡＣＨ信号を使用してＭＢＳＦＮ関心を示すことができる。したがって、スモールセルは、ＰＲＡＣＨシーケンスを介してＵＥ  ＭＢＭＳ関心および／または信号強度を取得し、それに応じてＰＭＣＨ送信を決定することができる。一態様では、スモールセルは、ＵＥがＰＲＡＣＨシグナリングを介してＭＢＭＳ関心と信号強度とを送信するべきかどうかについてＵＥにシグナリングすることができる。述べたように、ＰＲＡＣＨを介したＭＢＳＦＮ信号強度シグナリングおよび／またはＭＢＭＳ関心指示は、ＣＱＩ指示と同様の方法でＵＥによって処理され得る。
【００５９】
[0069]ＵＥ報告オーバーヘッドをさらに低減するために、周波数を報告することは、ＭＣＳに対する信号強度が指定されたしきい値を下回るときにのみアイドルＵＥが報告するように制限され得る。たとえば、測定された信号強度値が特定のＭＣＳ値について指定されたしきい値よりも小さくない限り、アイドルＵＥは信号強度を報告しなくてもよい。異なるＭＣＳ値について異なる報告しきい値が指定され得る。一般に、信号強度を報告するためのしきい値は、ＭＣＳ値が高くなるとともに増加し得る。しきい値は、ネットワークによって（たとえば、ＳＩＢを使用して）シグナリングされるか、またはＵＥ実装形態に基づいてあらかじめ定義された値に設定され得る。
【００６０】
ＭＢＳＦＮエリアにおけるＭＣＳ設定
[0070]ＭＢＳＦＮ用のネットワークＭＣＳ設定は、ＭＢＳＦＮエリアにおけるＰＭＣＨ上で送信するスモールセルを考慮し得る。ネットワークエンティティによって指定されたＭＣＳは、エリアにおいてＭＢＳＦＮ送信をオンにするスモールセルの数に応答して調整され得る。本明細書で使用される場合、「ネットワークエンティティ」は、ＵＥまたはモバイルエンティティなどのアクセス端末を除く。
【００６１】
[0071]スモールセルは、ユニキャストシグナリングまたはＭＢＳＦＮシグナリングのいずれかにおいて、独立して休止またはアクティブであり得る。たとえば、スモールセルが、ＭＢＳＦＮシグナリング用の休止モードでありながら、ユニキャストシグナリング用のアクティブモードになることと、ユニキャストシグナリング用のアクティブモードでありながら、ＭＢＳＦＮシグナリング用の休止モードになることとが考えられる（が、最適ではない）。最適なエネルギー節約は、スモールセルがユニキャストもＭＢＳＦＮも送信しないときに達成され得る。スモールセルがユニキャスト信号を送信するとき、ＭＢＳＦＮ信号の送信は、ユニキャスト信号を送信するためのエネルギー使用を超えるかなりの追加のエネルギー使用を招かない。したがって、可能であれば、同じスモールセルにおいてユニキャスト信号の送信とＭＢＳＦＮ信号の送信を結合することが有利であり得る。
【００６２】
[0072]この目的で、スモールセルがＭＢＳＦＮエリアにおけるＭＣＳのネットワーク側の決定における入力パラメータと同様にＭＢＳＦＮを送信する確率の推定を含めることは、システム全体のスモールセルエネルギー効率を高め、ＭＢＳＦＮカバレッジを改善し、ＭＢＳＦＮエリアにおけるＭＢＳＦＮ容量を増加させることができる。たとえば、ＭＣＳは、エリアにおいてＭＣＳを設定するネットワークエンティティへの日和見的スモールセル送信の報告に基づき得る。加えて、スモールセルは送信状態をＭＣＥに報告することもでき、ＭＣＥは、それに応じて、ＭＣＳを含むＭＢＳＦＮ構成を調整することができる。スモールセルの送信状態は、ユニキャストシグナリングの送信と、ＭＢＳＦＮシグナリングの送信と、上記のシグナリングのそれぞれの送信電力とを含み得る。
【００６３】
[0073]加えて、スモールセルは、送信状態を報告することに加えて、ＭＢＳＦＮ信号測定値またはＵＥが報告した測定値をＭＣＥに報告することができる。一態様では、ＭＣＳの目的は、ユニキャストとＭＢＳＦＮの両方でスモールセルをミュートまたはアクティブのいずれかにすることができるように、ＭＣＳを使用することであり得る。たとえば、ＭＣＳは、スモールセルを、ユニキャストとＭＢＳＦＮの両方でアクティブにさせるか、またはユニキャストとＭＢＳＦＮの両方で休止させるレベルに設定され得る。スモールセルカバレッジエリア内のＵＥは、スモールセルがユニキャストで休止している場合、スモールセルがＭＢＳＦＮ信号を送信することがなくても、ＭＢＳＦＮエリアにおける他のセルからのＭＢＳＦＮ信号を受信することができる。逆に、スモールセルがユニキャスト送信でアクティブであるとき、ＭＣＳレベルはスモールセルからのＭＢＳＦＮ信号送信を考慮する。
【００６４】
[0074]一態様では、ＭＢＳＦＮカバレッジの理由でスモールセルを使用可能にしなければならないときを除き、ＭＢＳＦＮ信号のスモールセル送信は一般に、スモールセルによるユニキャスト送信と整合（align）され得る。たとえば、スモールセルは近くのＵＥから測定報告を受信することができる。報告が適切なＭＢＳＦＮ受信を示すとき、スモールセルは、報告に応答して、ＭＢＳＦＮ送信をユニキャスト送信と整合させる（たとえば、ＭＢＳＦＮ送信とユニキャスト送信の両方をオンに、または両方をオフに設定する）ことができる。報告が不適切なＭＢＳＦＮ受信を示すとき、スモールセルは、ＭＢＳＦＮカバレッジを改善するために、ユニキャスト信号を送信していないときでもＭＢＳＦＮ送信をイネーブルにすることができる。
【００６５】
[0075]図４〜図６は、レガシーキャリアタイプ（ＬＣＴ）スモールセルのそれぞれのオフ状態、休止状態、およびアクティブ状態におけるダウンリンクフレームを示す。ＬＣＴスモールセルは、ＵＥがスモールセルにキャンプオンするのを可能にするために、ＰＳＳ／ＳＳＳと、ＰＢＣＨと、ＳＩＢ情報とを送信し得る。ＬＣＴオフ状態４００では、図４に示されるように、ダウンリンク上での送信およびアップリンク上での受信がない。ＬＣＴ休止状態５００では、図５に示されるように、ダウンリンク上での送信がなく、アップリンク上での少ない（スパースsparse）受信５０２、たとえば、近隣セルからのＰＲＡＣＨ、物理アップリンク制御チャネル（ＰＵＣＣＨ：Physical Uplink Control Channel）またはサウンディング基準信号（ＳＲＳ：Sounding Reference Signal）の受信がある。休止ＬＣＴセルはＰＭＣＨ信号を送信し得る。ＬＣＴアクティブ状態６００では、ダウンリンク上に共通信号があり、アップリンク上にいくつかの制御信号および／またはデータ信号がある。たとえば、アクティブＬＣＴスモールセルは、図６に示されるように、ダウンリンク上で、５つごとのサブフレーム６０２で１次同期信号（ＰＳＳ）と２次同期信号（ＳＳＳ）信号とを送信し、１０個ごとのサブフレーム６０４で物理ブロードキャストチャネル（ＰＢＣＨ）を送信し、２０個ごとのサブフレーム６０６でＳＩＢ  １を送信し得る。アクティブＬＣＴセルはＰＭＣＨ信号をミュートし得る。
【００６６】
[0076]比較すると、図７〜図９は、拡張型ニューキャリアタイプ（ｅＮＣＴ）スモールセルのそれぞれのオフ状態、休止状態、およびアクティブ状態におけるダウンリンクフレームを示す。ｅＮＣＴオフ状態７００では、図７に示されるように、ダウンリンク上での送信およびアップリンク上での受信がない。ｅＮＣＴ休止状態８００では、図８に示されるように、ダウンリンク上に低デューティスパース信号８０２があり、アップリンク受信８０４、たとえば、すべての接続ＵＥおよび３ＧＰＰリリース１２準拠のアイドルＵＥからのＰＲＡＣＨの受信がある。ダウンリンク信号はまた、２００個ごとのサブフレーム（図示せず）にＰＳＳと、ＳＳＳと、ＰＢＣＨと、狭帯域ＲＳと、ＳＩＢ  ０とを含み得る。休止ｅＮＣＴセルはＰＭＣＨ信号を送信し得る。ｅＮＣＴアクティブ状態９００では、スモールセルはダウンリンク上で高デューティサイクルスパース信号を送信し、アップリンク上でいくつかの制御信号および／またはデータ信号を受信し得る。たとえば、アクティブｅＮＣＴスモールセルは、図９に示されるように、ダウンリンク上で、５つごとのサブフレーム９０２でＰＳＳ信号と、ＳＳＳ信号と、広帯域ＲＳとを送信し、１０個ごとのサブフレーム９０４でＰＢＣＨを送信し、２０個ごとのサブフレーム９０６でＳＩＢ  １を送信し得る。アクティブｅＮＣＴセルはＰＭＣＨ信号をミュートし得る。
【００６７】
オープンアクセスＨｅＮＢにおけるＭＢＭＳサポートの考慮
[0077]ＭＢＭＳは通常、Ｈｏｍｅ  ｅＮＢ（ＨｅＮＢ）によってサポートされていない。ＨｅＮＢのｅＭＢＭＳサポートを提供するために、新しいｅＭＢＭＳ論理アーキテクチャがスモールセルとともに用いられ得る。図１０は、３ＧＰＰにおける展開されたスモールセルを有するアーキテクチャ１０００を示す。アーキテクチャ１０００におけるＨｅＮＢには、ＳＧＷまたはＨｅＮＢ  ＧＷへのＭ１またはＭ２インターフェースがない。図１１は、スモールセルを有する別のｅＭＢＭＳ論理アーキテクチャ１１００を示す。アーキテクチャ１１００は、ＭＢＭＳ  ＧＷへのＭ２インターフェースと、ＨｅＮＢ  ＧＷへのＭ１およびＭ２インターフェースとを含む。たとえば、３ＧＰＰリリース１２でサポートされるＨｅＮＢ向けの同期通信とバックホール通信とが導入されている場合、Ｍ１およびＭ２インターフェースをＨｅＮＢに拡張することが可能である。したがって、Ｍ１およびＭ２インターフェースは、ＨｅＮＢによってサポートされる同期通信機能とバックホール通信機能とを使用して、マクロセルによって使用される従来のＭ１およびＭ２インターフェースと並行して導入され得る。
【００６８】
例示的な方法および装置
[0078]本明細書で図示および説明した例示的なシステムを考慮すれば、開示する主題に従って実装され得る方法は、様々なフローチャートを参照すればより良く理解されよう。説明を簡単にするために、方法を一連の行為／ブロックとして図示および説明するが、いくつかのブロックは、本明細書で図示および説明する順序とは異なる順序で、ならびに／または他のブロックと実質的に同時に行われ得るので、請求する主題はブロックの数または順序によって限定されないことを理解し、諒解されたい。その上、本明細書で説明される方法を実施するために、図示されたすべてのブロックが必要とされるとは限らない。ブロックに関連する機能は、ソフトウェア、ハードウェア、これらの組合せまたは任意の他の好ましい手段（たとえば、デバイス、システム、プロセス、またはコンポーネント）によって実装され得ることを諒解されたい。さらに、本明細書の全体にわたって開示される方法は、そのような方法を様々なデバイスに移送および転送することを可能にする製造物品に、符号化された命令および／またはデータとして記憶することが可能であることをさらに諒解されたい。方法は、代替的に、状態図のような、一連の相互に関係する状態または事象として表現され得ることを、当業者は理解し諒解するであろう。
【００６９】
[0079]図１２は、発展型マルチメディアブロードキャスト／マルチキャストサービス（ｅＭＢＭＳ）サービスを提供することを含む、ワイヤレス通信のためのスモールセルによる方法１２００を示す。スモールセルは、ワイヤレス通信ネットワークの低電力基地局（たとえば、フェムトノード、ピコノード、Ｈｏｍｅ  Ｎｏｄｅ  Ｂなど）であり得る。方法１２００は、１２１０において、スモールセルによって、マクロセルからのワイヤレスＭＢＳＦＮ信号を受信すること、ここにおいて、スモールセルは、スモールセルを有するワイヤレス通信ネットワークにおける各マクロセルよりも実質的に小さい（たとえば、平均マクロセル電力の１０％未満、または５％未満）送信電力を有することを特徴とする、を含み得る。一例として、マクロが４０Ｗの送信電力を使用している間、スモールセルの送信電力は１Ｗであり得る。方法１２００は、１２２０において、スモールセルによって、スモールセルの無線範囲内のＭＢＳＦＮ信号の測定値を取得することを含み得る。測定値を取得することのより詳細な態様について、図１３〜図１４に関して以下で説明する。方法１２００は、１２３０において、スモールセルが測定値に基づいて振る舞うことを含み得る。たとえば、スモールセルは、取得された測定値に応じて取る複数のアクションのうちの１つを選択することができる。測定値に基づく偶発的な動作のさらなる例およびより詳細な態様について、図１３〜図１７に関して以下で説明する。
【００７０】
[0080]図１３〜図１７は、方法１２００とともにスモールセルによって実行され得る、さらなるオプションの動作または態様１３００、１４００、１５００、１６００および１７００を示す。図１３〜図１７に示される動作は、方法１２００を実行するために必要とされない。動作１３００、１４００、１５００、１６００および１７００は独立して実行され、相互排他的ではない。したがって、そのような動作のうちのいずれか１つが、別の下流または上流の動作が実行されるかどうかにかかわらず実行され得る。方法１２００が図１３〜図１７の少なくとも１つの動作を含む場合、方法１２００は、必ずしも、図示され得るいかなる（１つまたは複数の）後続の下流動作も含む必要なく、少なくとも１つの動作の後に終了し得る。
【００７１】
[0081]図１３００を参照すると、方法１２００は、１３１０において、スモールセルにおいて受信されたＭＢＳＦＮ信号を測定することによって、測定値を取得することをさらに含み得る。たとえば、方法１２００は、１３２０において、ＭＢＳＦＮ基準信号または他の信号に基づいて、基準信号受信電力（ＲＳＲＰ）、基準信号受信品質（ＲＳＲＱ）、または信号対雑音比（ＳＮＲ）から選択されたメトリックを使用して、測定することを実行することを含み得る。動作１３１０および１３２０は任意の動作可能な順序で実行され得ることを諒解されたい。たとえば、スモールセルは、最初にメトリックを選択し１３２０、次いで、そのメトリックの対応する測定値を取得するために、スモールセルにおいて受信されたＭＢＳＦＮ信号を測定する１３１０。加えて、動作１３００のいずれかまたは両方は、方法１２００の動作とともに、任意の動作可能な順序で実行され得る。たとえば、記載されたメトリックのうちの１つを選択すること１３２０は、スモールセルにおいて受信されたＭＢＳＦＮ信号を測定すること１３１０ありで、または測定すること１３１０なしで、無線範囲内の測定値を取得する動作１２２０とともに実行され得る。
【００７２】
[0082]図１４００を参照すると、方法１２００は、１４１０において、スモールセルがスモールセルの無線範囲におけるユーザ機器（ＵＥ）からの情報を受信することによって、測定値を取得することをさらに含み得る。たとえば、方法１２００は、１４２０において、ＵＥのＭＢＳＦＮサービスに対する関心、またはＭＢＳＦＮ信号強度のうちの少なくとも１つを示す報告を備える情報を受信することを含み得る。ＭＢＳＦＮ信号強度は、たとえば、ＲＳＲＰ、ＲＳＲＱまたはＳＮＲなどのメトリックを使用して、報告の中で示され得る。一態様では、方法１２００は、１４３０において、ＵＥからの物理ランダムアクセスチャネル（ＰＲＡＣＨ）信号を介して情報を受信すること、を含み得、ＵＥは、ＭＢＳＦＮ信号強度に基づいてＰＲＡＣＨシーケンスを選択することによって、値をシグナリングする。別の態様では、方法１２００は、１４４０において、ＵＥによって測定されたＭＢＳＦＮ信号強度がしきい値よりも小さい場合のみ、情報を受信することを含み得る。逆に、ＵＥによって測定されたＭＢＳＦＮ信号強度がしきい値を上回る場合、スモールセルはそのような情報を受信しないか、または任意のＭＢＳＦＮサービスを開始しようと試みない。
【００７３】
[0083]方法１２００は、測定値に基づいてスモールセルによって取られるアクションについての、図１５に示される動作１５００をさらに含み得る。詳細には、方法１２００の動作オペレーション１２３０は、１５１０において、スモールセルからのＭＢＳＦＮ信号を送信するための送信電力を設定することをさらに含み得る。たとえば、送信電力を設定すること１５１０は、１５２０において、スモールセルから送信されるべき連続したＭＢＳＦＮサブフレームの数に基づいて、送信電力をランプアップすることを含み得る。連続したフレームの数が多くなるほど、ＭＢＳＦＮサービスを開始するときにスモールセルが送信電力をランプアップすることができる速度は遅くなる。隣接するサブフレーム間のスモールセル送信電力のより小さい変化は、ＵＥ実装形態にそれほどの影響をもたらさない可能性があり、実装の複雑性を低減することができる。
【００７４】
[0084]代替として、または加えて、方法１２００は、測定値に基づいてスモールセルによって取られるアクションについての、図１６に示される動作１６００をさらに含み得る。詳細には、方法１２００の動作オペレーション１２３０は、１６１０において、測定値に基づいて、スモールセルからのＭＢＳＦＮ信号を送信するかどうかを決定することをさらに含み得る。たとえば、測定値が定義されたしきい値を超える場合、スモールセルは、ＭＢＳＦＮ信号を送信しないと決定し得る。逆に、測定値が定義されたしきい値を下回る場合、スモールセルは、ＭＢＳＦＮ信号を送信すると決定し得る。方法１２００の別の態様では、１６３０において、ＭＢＳＦＮ信号を送信するかどうかを決定することは、スモールセルがユニキャスト信号を送信しているかどうかにさらに基づき得る。方法１２００は、１６３０において、スモールセルのＭＢＳＦＮ送信状態、ＭＢＳＦＮ送信電力、およびユニキャスト送信状態のうちの少なくとも１つをマルチキャスト協調エンティティ（ＭＣＥ）に報告することを含み得る。１６４０において、ＭＣＥは、スモールセルがユニキャスト信号を送信しているかどうかに少なくとも部分的に基づいて、ＭＢＳＦＮ信号で使用されるデータレート変調コーディング方式（ＭＣＳ）を設定し得る。上述のように、スモールセルをＭＢＳＦＮカバレッジの理由で使用可能にしなければならないときを除き、ＭＢＳＦＮ信号のスモールセル送信は一般に、スモールセルによるユニキャスト送信と整合され得る。
【００７５】
[0085]別の態様では、方法１２００は、図１７に示される追加の動作１７００を含み得る。動作オペレーション１２３０は、１７１０において、ＭＢＳＦＮ信号のデータ品質要件にさらに基づき得る。たとえば、１７２０において、スモールセルは、ＭＢＳＦＮ信号で使用されるデータレートＭＣＳに基づいて、データ品質要件を決定し得る。代替として、１７３０において、スモールセルは、スモールセルの無線範囲内のＭＢＳＦＮ信号を受信するＵＥによって使用されるＭＣＳに基づいて、データ品質要件を決定し得る。たとえば、３ＧＰＰにおける高速ダウンリンクパケットアクセス（ＨＳＤＰＡ）システムは、約３０の異なるマルチキャストコーディング方式（ＭＣＳ）を定義し、それらのＭＣＳから、受信機からのチャネル品質インジケータ（ＣＱＩ）報告に基づいて１つのＭＣＳが選択され得る。同様に、ＬＴＥでは、ｅＮＢ（たとえば、スモールセル）は、ＣＱＩとオプションで他の要因とに基づいて、複数の選択肢から１つのＭＣＳを選択し得る。したがって、ＨＳＤＰＡ、ＬＴＥ、または類似するシステムによって定義されるような、選択されたＭＣＳ、ＣＱＩと最大データレートとの間に相関関係が存在する。方法１２００は、１７４０において、データ品質要件に基づいて、スモールセルによって送信されたＭＢＳＦＮシンボルの電力を変調することを含み得る。
【００７６】
[0086]図１８を参照すると、ワイヤレスネットワークにおけるスモールセルとして、またはスモールセル内で使用するためのプロセッサもしくは同様のデバイスとして構成され得る、ｅＭＢＭＳを提供するための例示的な装置１８００が提供される。スモールセル１８００は、スモールセルを有するワイヤレス通信ネットワークにおける各マクロセルよりも実質的に小さい送信電力を有することを特徴とし得る。装置１８００は、プロセッサ、ソフトウェア、ハードウェア、またはそれらの組合せ（たとえば、ファームウェア）によって実装される機能を表し得る機能ブロックを含み得る。
【００７７】
[0087]示されるように、一実施形態では、装置１８００は、ワイヤレス通信ネットワークのマクロセルからＭＢＳＦＮ信号を受信するための電気コンポーネントまたはモジュール１８０２を含み得る。たとえば、電気コンポーネント１８０２は、送受信機などに結合され、１つまたは複数のワイヤレスキャリア上でＭＢＳＦＮ信号を受信するための命令を有するメモリに結合された、少なくとも１つの制御プロセッサを含み得る。コンポーネント１８０２は、ワイヤレス通信ネットワークのマクロセルからＭＢＳＦＮ信号を受信するための手段であり得るか、またはそれを含み得る。前記手段は、本明細書において上記で言及されたより詳細なプロトコル、たとえば、３ＧＰＰまたは３ＧＰＰ２に従ってワイヤレスＭＢＳＦＮ信号を受信するためのアルゴリズムを実行する制御プロセッサを含み得る。これは、たとえば、ＭＢＳＦＮ信号のための無線リソースとコーディング方式とを特定する制御チャネルを受信することと、制御チャネルによって示された無線リソース上で信号を受信することと、示されたコーディング方式に従って信号を復号することとを含み得る。
【００７８】
[0088]装置１８００は、スモールセルの無線範囲内のＭＢＳＦＮ信号の測定値を取得するための電気コンポーネント１８０４を含み得る。たとえば、電気コンポーネント１８０４は、送受信機などに結合され、測定値を取得するための命令を保持するメモリに結合された少なくとも１つの制御プロセッサを含み得る。コンポーネント１８０４は、ＭＢＳＦＮ信号の測定値を取得するための手段であり得るか、またはそれを含み得る。前記手段は、受信された信号を（たとえば、本明細書において上記で言及された測定メトリックを使用して）直接測定するか、またはＵＥから測定報告を受信するためのアルゴリズムを実行する制御プロセッサを含み得る。
【００７９】
[0089]装置１８００は、コンポーネント１８０４によって取得された測定値に基づいて、あらかじめ定義されたアクションを取るための電気コンポーネント１８０６を含み得る。たとえば、電気コンポーネント１８０６は、送受信機などに結合され、測定値を条件とする定義されたアクションを取るための命令を保持するメモリに結合された少なくとも１つの制御プロセッサを含み得る。コンポーネント１８０６は、ＭＢＳＦＮ信号の測定値を条件とするあらかじめ定義されたアクションを取るための手段であり得るか、またはそれを含み得る。前記手段は、数値、たとえば、条件付きのＩＦ−ＴＨＥＮ分岐論理または同等の動作に基づいて、条件付きのアクションを取るためのアルゴリズムを実行する制御プロセッサを含み得る。あらかじめ定義されたアクションは、本明細書において上記で説明されたアクションのうちの１つ、たとえば、スモールセルからのＭＢＳＦＮ送信を開始することを決定すること、または送信のための送信電力を設定することであり得る。
【００８０】
[0090]装置１８００は、説明を簡単にするために図１８に示されない、図１３〜図１７に関連して説明された追加の動作１３００〜１７００のいずれかまたはすべてを実行するための同様の電気コンポーネントを含み得る。
【００８１】
[0091]関連する態様では、ネットワークエンティティとして構成された装置１８００の場合、装置１８００は、少なくとも１つのプロセッサを有するプロセッサコンポーネント１８１０をオプションで含み得る。プロセッサ１８１０は、そのような場合、バス１８１２または同様の通信結合を介してコンポーネント１８０２〜１８０６または同様のコンポーネントと動作可能に通信し得る。プロセッサ１８１０は、電気コンポーネント１８０２〜１８０６によって実行される処理または機能の起動とスケジューリングとを実施し得る。プロセッサ１８１０は、全体的にまたは部分的に、コンポーネント１８０２〜１８０６を包含し得る。代替として、プロセッサ１８１０は、１つまたは複数の別個のプロセッサを含み得るコンポーネント１８０２〜１８０６とは別個であり得る。
【００８２】
[0092]さらなる関連する態様では、装置１８００は、無線送受信機コンポーネント１８１４を含み得る。送受信機１８１４の代わりに、または送受信機１８１４とともに、スタンドアロン受信機および／またはスタンドアロン送信機が使用され得る。代替として、または加えて、装置２７００は、異なるキャリア上で送信および受信するために使用され得る、複数の送受信機または送信機／受信機ペアを含み得る。装置１８００は、たとえば、メモリデバイス／コンポーネント１８１６など、情報を記憶するためのコンポーネントをオプションで含み得る。コンピュータ可読媒体またはメモリコンポーネント１８１６は、バス１８１２などを介して装置１８００の他のコンポーネントに動作可能に結合され得る。メモリコンポーネント１８１６は、コンポーネント１８０２〜１８０６、およびそれらのサブコンポーネント、またはプロセッサ１８１０、追加の態様１３００〜１７００、または本明細書で開示される方法の活動を実行するためのコンピュータ可読命令とデータとを記憶するように適応され得る。メモリコンポーネント１８１６は、コンポーネント１８０２〜１８０６に関連付けられた機能を実行するための命令を保持し得る。メモリ１８１６の外部にあるものとして示されているが、コンポーネント１８０２〜１８０６はメモリ１８１６の内部に存在することができることを理解されたい。
【００８３】
[0093]他の態様では、ワイヤレス通信ネットワークのモバイルエンティティ（たとえば、ＵＥ）は、図１９に示されるセル再選択のための方法１９００を実行し得る。方法１９００は、１９１０において、モバイルエンティティによって、ネットワークエンティティから、ＭＢＭＳサービスをサポートするマクロセル、マクロセル周波数またはスモールセルのうちの少なくとも１つについての周波数情報またはセルＩＤ情報のうちの少なくとも１つを受信することを含み得る。方法１９００は、１９２０において、たとえばタッチスクリーン入力を介して、モバイルエンティティがユーザのサービスに対する関心を示すユーザ関心情報を受信することをさらに含み得る。モバイルエンティティは、ユーザ関心情報に少なくとも部分的に基づいて、関心のあるＭＢＭＳサービスを選択するか、またはさもなければ決定することができる。一態様では、ネットワークからの情報は、モバイルエンティティによって示される関心のあるＭＢＭＳサービスをサポートするスモールセルについての周波数またはセルＩＤ情報を含む。方法１９００は、１９３０において、モバイルエンティティによって、ＭＢＭＳサービスに対する関心を示すユーザ関心情報に基づいて、セル再選択のためのマクロセルまたは周波数を優先順位付けすることをさらに含み得る。方法１９００の一態様では、モバイルエンティティは、動作１９１０〜１９３０を実行する間、アイドルモードであってもよく、アイドルモードのままであってもよい。
【００８４】
[0094]図２０を参照すると、ワイヤレスネットワークにおけるモバイルエンティティとして、またはモバイルエンティティ内で使用するためのプロセッサもしくは同様のデバイスとして構成され得る、マクロセルとスモールセルの両方を含むことを特徴とする異種ネットワークにおいてｅＭＢＭＳサービスを受信し、セル再選択を実行するための例示的な装置２０００が提供される。装置２０００は、プロセッサ、ソフトウェア、またはそれらの組合せ（たとえば、ファームウェア）によって実装される機能を表し得る機能ブロックを含み得る。
【００８５】
[0095]示されるように、一実施形態では、装置２０００は、ネットワークエンティティから、ＭＢＭＳサービスをサポートするマクロセル、マクロ周波数またはスモールセルのうちの少なくとも１つについての周波数情報またはセルＩＤ情報のうちの少なくとも１つを受信するための電気コンポーネントまたはモジュール２００２を含み得る。たとえば、電気コンポーネント２００２は、送受信機などに結合され、１つまたは複数のワイヤレスキャリアの制御チャネル上で情報を受信するための命令を有するメモリに結合された少なくとも１つの制御プロセッサを含み得る。コンポーネント２００２は、ネットワークエンティティから、ＭＢＭＳサービスをサポートするマクロセル、マクロ周波数またはスモールセルのうちの少なくとも１つについての周波数情報またはセルＩＤ情報のうちの少なくとも１つを受信するための手段であり得るか、またはそれを含み得る。前記手段は、本明細書において上記で言及されたより詳細なプロトコルに従って制御信号を受信するためのアルゴリズムを実行する制御プロセッサを含み得る。
【００８６】
[0096]装置２０００は、ユーザのサービスに対する関心を示すユーザ関心情報を受信するための電気コンポーネント２００４を含み得る。たとえば、電気コンポーネント２００４は、送受信機などに結合され、ユーザインターフェースデバイスからの入力を介してユーザ関心情報を受信するための命令を保持するメモリに結合された少なくとも１つの制御プロセッサを含み得る。コンポーネント２００４は、ユーザのサービスに対する関心を示すユーザ関心情報を受信するための手段であり得るか、またはそれを含み得る。前記手段は、１つまたは複数のＭＢＭＳサービスを検出し、グラフィカルユーザインターフェースデバイスにおいて１つまたは複数のＭＢＭＳサービスを識別する情報を提示し、ユーザ入力デバイスを介して提示したことに応答して選択データを受信し、選択データを少なくとも１つのＭＢＭＳサービスの要求に関連付けるためのアルゴリズムを実行する制御プロセッサを含み得る。
【００８７】
[0097]装置２０００は、ＭＢＭＳサービスに対する関心を示すユーザ関心情報に基づいて、セル再選択のためのマクロセルまたは周波数を優先順位付けするための電気コンポーネント２００６を含み得る。たとえば、電気コンポーネント２００６は、送受信機などに結合され、ハンドオーバ操作のための予想されるターゲットセルのリストの中で最も優先順位が高いエントリを識別するための命令を保持するメモリに結合された少なくとも１つの制御プロセッサを含み得る。コンポーネント２００６は、ＭＢＭＳサービスに対する関心を示すユーザ関心情報に基づいて、セル再選択のためのマクロセルまたは周波数を優先順位付けするための手段であり得るか、またはそれを含み得る。前記手段は、ハンドオーバ動作のための２つ以上の候補ターゲットセルのリストを定義し、少なくとも１つの関心のあるＭＢＭＳサービスを提供するマクロセルである、リスト上の任意のターゲットセルを識別し、同じサービスを提供するスモールセルよりも高い優先順位を前記マクロセルに割り当てるためのアルゴリズムを実行する制御プロセッサを含み得る。
【００８８】
[0098]関連する態様では、モバイルエンティティとして構成された装置２０００の場合、装置２０００は、少なくとも１つのプロセッサを有するプロセッサコンポーネント２０１０をオプションで含み得る。プロセッサ２０１０は、そのような場合、バス２０１２または同様の通信結合を介してコンポーネント２００２〜２００６または同様のコンポーネントと動作可能に通信し得る。プロセッサ２０１０は、電気コンポーネント２００２〜２００６によって実行される処理または機能の起動とスケジューリングとを実施し得る。プロセッサ２０１０は、全体的にまたは部分的に、コンポーネント２００２〜２００６を包含し得る。代替として、プロセッサ２０１０は、１つまたは複数の別個のプロセッサを含み得るコンポーネント２００２〜２００６とは別個であり得る。
【００８９】
[0099]さらなる関連する態様では、装置２０００は、無線送受信機コンポーネント２０１４を含み得る。送受信機２０１４の代わりに、または送受信機２０１４とともに、スタンドアロン受信機および／またはスタンドアロン送信機が使用され得る。代替として、または加えて、装置２７００は、異なるキャリア上で送信および受信するために使用され得る、複数の送受信機または送信機／受信機ペアを含み得る。装置２０００は、たとえば、メモリデバイス／コンポーネント２０１６のような、情報を記憶するためのコンポーネントをオプションで含み得る。コンピュータ可読媒体またはメモリコンポーネント２０１６は、バス２０１２などを介して装置２０００の他のコンポーネントに動作可能に結合され得る。メモリコンポーネント２０１６は、コンポーネント２００２〜２００６、およびそれらのサブコンポーネント、またはプロセッサ２０１０、または本明細書で開示される方法の活動を実行するための、コンピュータ可読命令とデータとを記憶するように適応され得る。メモリコンポーネント２０１６は、コンポーネント２００２〜２００６に関連する機能を実行するための命令を保持し得る。メモリ２０１６の外部にあるものとして示されているが、コンポーネント２００２〜２００６はメモリ２０１６内に存在してよいことを理解されたい。
【００９０】
[00100]情報および信号は、多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９１】
[00101]さらに、本明細書の開示に関連して説明された様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的なコンポーネント、ブロック、モジュール、回路、およびステップを、上記では概してそれらの機能に関して説明した。そのような機能をハードウェアとして実装するか、ソフトウェアとして実装するかは、具体的な適用例および全体的なシステムに課される設計制約に依存する。当業者は、説明した機能を具体的な適用例ごとに様々な方法で実装し得るが、そのような実装の決定は、本開示の範囲からの逸脱を生じるものと解釈すべきではない。
【００９２】
[00102]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９３】
[00103]本明細書の開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別コンポーネントとして常駐し得る。
【００９４】
[00104]１つまたは複数の例示的な設計では、説明された機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され、汎用もしくは専用コンピュータ、または汎用もしくは専用プロセッサによってアクセスされ得る、任意の他の媒体を備え得る。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に符号化し、ディスク（disc）は、慣例的に、レーザでエンコーディッドオプティカリー媒体を指す。上記の組合せもコンピュータ可読媒体の範囲内に含めるべきである。本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および特徴に合致する最も広い範囲を与えられるべきである。
【図１】
2018011313.tif 000003
【図２】
2018011313.tif 000004
【図３】
2018011313.tif 000005
【図４】
2018011313.tif 000006
【図５】
2018011313.tif 000007
【図６】
2018011313.tif 000008
【図７】
2018011313.tif 000009
【図８】
2018011313.tif 000010
【図９】
2018011313.tif 000011
【図１０】
2018011313.tif 000012
【図１１】
2018011313.tif 000013
【図１２】
2018011313.tif 000014
【図１３】
2018011313.tif 000015
【図１４】
2018011313.tif 000016
【図１５】
2018011313.tif 000017
【図１６】
2018011313.tif 000018
【図１７】
2018011313.tif 000019
【図１８】
2018011313.tif 000020
【図１９】
2018011313.tif 000021
【図２０】
2018011313.tif 000022
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
スモールセルによって、マクロセルからのワイヤレスマルチキャストブロードキャスト単一周波数ネットワーク（ＭＢＳＦＮ）信号を受信することと、ここで、前記スモールセルは、前記スモールセルを有するワイヤレス通信ネットワークにおける各マクロセルよりも実質的に小さい送信電力を有することを特徴とし、前記スモールセルは、物理マルチキャストチャネル（ＰＭＣＨ）上で送信しておらず、
前記スモールセルによって、前記スモールセルの無線範囲内の前記ＭＢＳＦＮ信号の信号強度を取得することと、
前記スモールセルによって、前記ＭＢＳＦＮ信号の前記信号強度が、ＰＭＣＨ復号に十分なしきい値信号強度値を満たさない、または超えないことを決定することと、
前記スモールセルによって、前記決定と、前記スモールセルがユニキャスト信号を送信しているかどうかとに基づいて前記ＰＭＣＨ上で前記ＭＢＳＦＮ信号を送信することと、
を備える方法。
【請求項２】
前記取得することは、前記スモールセルにおいて受信された前記ＭＢＳＦＮ信号のメトリックを測定することによって実行され、ここで、前記メトリックは、基準信号受信電力（ＲＳＲＰ）、基準信号受信品質（ＲＳＲＱ）、または信号対雑音比（ＳＮＲ）から選択される、請求項１に記載の方法。
【請求項３】
前記取得することは、前記スモールセルの無線範囲におけるユーザ機器（ＵＥ）からの情報を受信することによって実行される、請求項１に記載の方法。
【請求項４】
前記情報は、ＭＢＳＦＮサービスに対するＵＥの関心、またはＭＢＳＦＮ信号強度のうちの少なくとも１つを示す報告を備える、請求項３に記載の方法。
【請求項５】
前記情報は、前記ＵＥからの物理ランダムアクセスチャネル（ＰＲＡＣＨ）信号を介して受信される、請求項３に記載の方法。
【請求項６】
前記ＵＥは、前記ＵＥによって測定されたＭＢＳＦＮ信号強度がしきい値よりも小さい場合のみ、前記情報を提供する、請求項３に記載の方法。
【請求項７】
前記スモールセルからの前記ＭＢＳＦＮ信号を送信するための送信電力を設定することをさらに備える、請求項１に記載の方法。
【請求項８】
前記送信電力を設定することは、前記スモールセルから送信されるべき連続したＭＢＳＦＮサブフレームの数に基づいて、前記送信電力をランプアップすることをさらに備える、請求項７に記載の方法。
【請求項９】
前記スモールセルのＭＢＳＦＮ送信状態、ＭＢＳＦＮ送信電力、およびユニキャスト送信状態のうちの少なくとも１つをマルチキャスト協調エンティティ（ＭＣＥ）に報告することをさらに備える、請求項１に記載の方法。
【請求項１０】
前記ＭＣＥは、前記スモールセルがユニキャスト信号を送信しているかどうかに少なくとも部分的に基づいて、前記ＭＢＳＦＮ信号のためのデータレート変調コーディング方式（ＭＣＳ）を決定する、請求項９に記載の方法。
【請求項１１】
前記ＭＢＳＦＮ信号のデータレート変調コーディング方式（ＭＣＳ）、または前記スモールセルの無線範囲内の前記ＭＢＳＦＮ信号を受信するユーザ機器（ＵＥ）によって使用されたデータレートＭＣＳのうちの少なくとも１つに基づいて、データ品質要件を決定することをさらに備える、請求項１に記載の方法。
【請求項１２】
データ品質要件に基づいて、前記スモールセルによって送信されるＭＢＳＦＮシンボルの電力を設定することをさらに備える、請求項１に記載の方法。
【請求項１３】
ワイヤレス通信のための装置であって、
スモールセルにおいて、マクロセルからのワイヤレスマルチキャストブロードキャスト単一周波数ネットワーク（ＭＢＳＦＮ）信号を受信するための手段と、ここで、前記スモールセルは、前記スモールセルを有するワイヤレス通信ネットワークにおける各マクロセルよりも実質的に小さい送信電力を有することを特徴とし、前記スモールセルは、物理マルチキャストチャネル（ＰＭＣＨ）上で送信しておらず、
前記スモールセルによって、前記スモールセルの無線範囲内の前記ＭＢＳＦＮ信号の信号強度を取得するための手段と、
前記スモールセルによって、前記ＭＢＳＦＮ信号の前記信号強度がＰＭＣＨ復号に十分なしきい値信号強度値を満たさない、または超えないことを決定するための手段と、
前記スモールセルによって、前記決定と、前記スモールセルがユニキャスト信号を送信しているかどうかとに基づいて前記ＰＭＣＨ上で前記ＭＢＳＦＮ信号を送信するための手段と、
を備える装置。
【請求項１４】
ワイヤレス通信のための装置であって、
メモリと、
前記メモリに結合され、および、
スモールセルにおいて、マクロセルからのワイヤレスマルチキャストブロードキャスト単一周波数ネットワーク（ＭＢＳＦＮ）信号を受信することと、ここで、前記スモールセルは、前記スモールセルを有するワイヤレス通信ネットワークにおける各マクロセルよりも実質的に小さい送信電力を有することを特徴とし、前記スモールセルは、物理マルチキャストチャネル（ＰＭＣＨ）上で送信しておらず、
前記スモールセルによって、前記スモールセルの無線範囲内の前記ＭＢＳＦＮ信号の信号強度を取得することと、
前記スモールセルによって、前記ＭＢＳＦＮ信号の前記信号強度がＰＭＣＨ復号に十分なしきい値信号強度値を満たさない、または超えないことを決定することと、
前記スモールセルによって、前記決定と、前記スモールセルがユニキャスト信号を送信しているかどうかとに基づいて前記ＰＭＣＨ上で前記ＭＢＳＦＮ信号を送信することと、
を行うように構成された少なくとも１つのプロセッサと、
を備える装置。
【請求項１５】
前記プロセッサは、基準信号受信電力（ＲＳＲＰ）、基準信号受信品質（ＲＳＲＱ）、または信号対雑音比（ＳＮＲ）から選択されたメトリックを使用して、前記スモールセルにおいて受信された前記ＭＢＳＦＮ信号のメトリックを測定することによって、前記取得することを実行するようにさらに構成される、請求項１４に記載の装置。
【請求項１６】
前記プロセッサは、前記スモールセルの無線範囲におけるユーザ機器（ＵＥ）からの情報を受信することによって、前記取得することを実行するようにさらに構成される、請求項１４に記載の装置。
【請求項１７】
前記プロセッサは、ＭＢＳＦＮサービスに対するＵＥの関心、またはＭＢＳＦＮ信号強度のうちの少なくとも１つを示す報告を備える前記情報を前記受信するようにさらに構成される、請求項１６に記載の装置。
【請求項１８】
前記プロセッサは、前記ＵＥから物理ランダムアクセスチャネル（ＰＲＡＣＨ）信号を介して前記情報を受信するようにさらに構成される、請求項１６に記載の装置。
【請求項１９】
前記プロセッサは、前記スモールセルから前記ＭＢＳＦＮ信号を送信するための送信電力を設定するようにさらに構成される、請求項１４に記載の装置。
【請求項２０】
前記プロセッサは、前記スモールセルから送信されるべき連続したＭＢＳＦＮサブフレームの数に基づいて、前記送信電力をランプアップすることによって、前記送信電力を設定するようにさらに構成される、請求項１９に記載の装置。
【請求項２１】
前記プロセッサは、前記スモールセルのＭＢＳＦＮ送信状態、ＭＢＳＦＮ送信電力、およびユニキャスト送信状態のうちの少なくとも１つをマルチキャスト協調エンティティ（ＭＣＥ）に報告するようにさらに構成される、請求項１４に記載の装置。
【請求項２２】
前記プロセッサは、前記ＭＢＳＦＮ信号で使用されたデータレート変調コーディング方式（ＭＣＳ）、または前記スモールセルの無線範囲内の前記ＭＢＳＦＮ信号を受信するユーザ機器（ＵＥ）によって使用されたデータレートＭＣＳのうちの少なくとも１つに基づいて、データ品質要件を決定するようにさらに構成される、請求項１４に記載の装置。
【請求項２３】
前記プロセッサは、データ品質要件に基づいて、前記スモールセルによって送信されたＭＢＳＦＮシンボルの電力を設定するようにさらに構成される、請求項１４に記載の装置。
【請求項２４】
コンピュータ実行可能なコードを記憶する非一時的コンピュータ可読媒体であって、前記コードは、
スモールセルにおいて、マクロセルからのワイヤレスマルチキャストブロードキャスト単一周波数ネットワーク（ＭＢＳＦＮ）信号を受信することと、ここで、前記スモールセルは、前記スモールセルを有するワイヤレス通信ネットワークにおける各マクロセルよりも実質的に小さい送信電力を有することを特徴とし、前記スモールセルは、物理マルチキャストチャネル（ＰＭＣＨ）上で送信しておらず、
前記スモールセルによって、前記スモールセルの無線範囲内の前記ＭＢＳＦＮ信号の信号強度を取得することと、
前記スモールセルによって、前記ＭＢＳＦＮ信号の前記信号強度がＰＭＣＨ復号に十分なしきい値信号強度値を満たさない、または超えないことを決定することと、
前記スモールセルによって、前記決定と、前記スモールセルがユニキャスト信号を送信しているかどうかとに基づいて前記ＰＭＣＨ上で前記ＭＢＳＦＮ信号を送信することと、
を行うためのコードを備える、非一時的コンピュータ可読媒体。
【手続補正２】
【補正対象書類名】明細書
【補正対象項目名】００７１
【補正方法】変更
【補正の内容】
【００７１】
[0081]図１３を参照すると、方法１２００は、１３１０において、スモールセルにおいて受信されたＭＢＳＦＮ信号を測定することによって、測定値を取得することをさらに含み得る。たとえば、方法１２００は、１３２０において、ＭＢＳＦＮ基準信号または他の信号に基づいて、基準信号受信電力（ＲＳＲＰ）、基準信号受信品質（ＲＳＲＱ）、または信号対雑音比（ＳＮＲ）から選択されたメトリックを使用して、測定することを実行することを含み得る。動作１３１０および１３２０は任意の動作可能な順序で実行され得ることを諒解されたい。たとえば、スモールセルは、最初にメトリックを選択し１３２０、次いで、そのメトリックの対応する測定値を取得するために、スモールセルにおいて受信されたＭＢＳＦＮ信号を測定する１３１０。加えて、動作１３００のいずれかまたは両方は、方法１２００の動作とともに、任意の動作可能な順序で実行され得る。たとえば、記載されたメトリックのうちの１つを選択すること１３２０は、スモールセルにおいて受信されたＭＢＳＦＮ信号を測定すること１３１０ありで、または測定すること１３１０なしで、無線範囲内の測定値を取得する動作１２２０とともに実行され得る。
【手続補正３】
【補正対象書類名】明細書
【補正対象項目名】００７２
【補正方法】変更
【補正の内容】
【００７２】
[0082]図１４を参照すると、方法１２００は、１４１０において、スモールセルがスモールセルの無線範囲におけるユーザ機器（ＵＥ）からの情報を受信することによって、測定値を取得することをさらに含み得る。たとえば、方法１２００は、１４２０において、ＵＥのＭＢＳＦＮサービスに対する関心、またはＭＢＳＦＮ信号強度のうちの少なくとも１つを示す報告を備える情報を受信することを含み得る。ＭＢＳＦＮ信号強度は、たとえば、ＲＳＲＰ、ＲＳＲＱまたはＳＮＲなどのメトリックを使用して、報告の中で示され得る。一態様では、方法１２００は、１４３０において、ＵＥからの物理ランダムアクセスチャネル（ＰＲＡＣＨ）信号を介して情報を受信すること、を含み得、ＵＥは、ＭＢＳＦＮ信号強度に基づいてＰＲＡＣＨシーケンスを選択することによって、値をシグナリングする。別の態様では、方法１２００は、１４４０において、ＵＥによって測定されたＭＢＳＦＮ信号強度がしきい値よりも小さい場合のみ、情報を受信することを含み得る。
逆に、ＵＥによって測定されたＭＢＳＦＮ信号強度がしきい値を上回る場合、スモールセルはそのような情報を受信しないか、または任意のＭＢＳＦＮサービスを開始しようと試みない。
【手続補正４】
【補正対象書類名】明細書
【補正対象項目名】００９４
【補正方法】変更
【補正の内容】
【００９４】
[00104]１つまたは複数の例示的な設計では、説明された機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。
限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され、汎用もしくは専用コンピュータ、または汎用もしくは専用プロセッサによってアクセスされ得る、任意の他の媒体を備え得る。
本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に符号化し、ディスク（disc）は、慣例的に、レーザでエンコーディッドオプティカリー媒体を指す。上記の組合せもコンピュータ可読媒体の範囲内に含めるべきである。本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および特徴に合致する最も広い範囲を与えられるべきである。
以下に、本願出願の当初の特許請求の範囲に記載された発明を付記する。
［Ｃ１］
ワイヤレス通信のためのスモールセルによる方法であって、
スモールセルによって、マクロセルからのワイヤレスマルチキャストブロードキャスト単一周波数ネットワーク（ＭＢＳＦＮ）信号を受信することと、ここで、前記スモールセルは、前記スモールセルを有するワイヤレス通信ネットワークにおける各マクロセルよりも実質的に小さい送信電力を有することを特徴とし、
前記スモールセルによって、前記スモールセルの無線範囲内の前記ＭＢＳＦＮ信号の測定値を取得することと、
前記スモールセルによって、前記測定値に基づいて動作することと、
を備える方法。
［Ｃ２］
前記取得することは、前記スモールセルにおいて受信された前記ＭＢＳＦＮ信号のメトリックを測定することによって実行され、ここで、前記メトリックは、基準信号受信電力（ＲＳＲＰ）、基準信号受信品質（ＲＳＲＱ）、または信号対雑音比（ＳＮＲ）から選択される、Ｃ１に記載の方法。
［Ｃ３］
前記取得することは、前記スモールセルの無線範囲におけるユーザ機器（ＵＥ）からの情報を受信することによって実行される、Ｃ１に記載の方法。
［Ｃ４］
前記情報は、ＭＢＳＦＮサービスに対するＵＥの関心、またはＭＢＳＦＮ信号強度のうちの少なくとも１つを示す報告を備える、Ｃ３に記載の方法。
［Ｃ５］
前記情報は、前記ＵＥからの物理ランダムアクセスチャネル（ＰＲＡＣＨ）信号を介して受信される、Ｃ３に記載の方法。
［Ｃ６］
前記ＵＥは、前記ＵＥによって測定されたＭＢＳＦＮ信号強度がしきい値よりも小さい場合のみ、前記情報を提供する、Ｃ３に記載の方法。
［Ｃ７］
前記動作することは、前記スモールセルからの前記ＭＢＳＦＮ信号を送信するための送信電力を設定することを備える、Ｃ１に記載の方法。
［Ｃ８］
前記送信電力を設定することは、前記スモールセルから送信されるべき連続したＭＢＳＦＮサブフレームの数に基づいて、前記送信電力をランプアップすることをさらに備える、Ｃ７に記載の方法。
［Ｃ９］
前記動作することは、前記スモールセルからＭＢＳＦＮ信号を送信するかどうかを決定することを備える、Ｃ１に記載の方法。
［Ｃ１０］
ＭＢＳＦＮ信号を送信するかどうかを前記決定することは、前記スモールセルがユニキャスト信号を送信しているかどうかにさらに基づく、Ｃ９に記載の方法。
［Ｃ１１］
前記スモールセルのＭＢＳＦＮ送信状態、ＭＢＳＦＮ送信電力、およびユニキャスト送信状態のうちの少なくとも１つをマルチキャスト協調エンティティ（ＭＣＥ）に報告することをさらに備える、Ｃ９に記載の方法。
［Ｃ１２］
前記ＭＣＥは、前記スモールセルがユニキャスト信号を送信しているかどうかに少なくとも部分的に基づいて、前記ＭＢＳＦＮ信号のためのデータレート変調コーディング方式（ＭＣＳ）を決定する、Ｃ１１に記載の方法。
［Ｃ１３］
前記動作することが、前記ＭＢＳＦＮ信号のデータ品質要件にさらに基づく、Ｃ１に記載の方法。
［Ｃ１４］
前記ＭＢＳＦＮ信号のデータレート変調コーディング方式（ＭＣＳ）、または前記スモールセルの無線範囲内の前記ＭＢＳＦＮ信号を受信するユーザ機器（ＵＥ）によって使用されたデータレートＭＣＳのうちの少なくとも１つに基づき、前記データ品質要件を決定すること、をさらに備える、Ｃ１３に記載の方法。
［Ｃ１５］
前記データ品質要件に基づいて、前記スモールセルによって送信されたＭＢＳＦＮシンボルの電力を変調することをさらに備える、Ｃ１３に記載の方法。
［Ｃ１６］
ワイヤレス通信のための装置であって、
スモールセルにおいて、マクロセルからのワイヤレスマルチキャストブロードキャスト単一周波数ネットワーク（ＭＢＳＦＮ）信号を受信するための手段と、ここで、前記スモールセルは、前記スモールセルを有するワイヤレス通信ネットワークにおける各マクロセルよりも実質的に小さい送信電力を有することを特徴とし、
前記スモールセルの無線範囲内の前記ＭＢＳＦＮ信号の測定値を取得するための手段と、
前記測定値に基づいて動作するための手段と、
を備える装置。
［Ｃ１７］
ワイヤレス通信のための装置であって、
スモールセルにおいて、マクロセルからのワイヤレスマルチキャストブロードキャスト単一周波数ネットワーク（ＭＢＳＦＮ）信号を受信することと、ここで、前記スモールセルは、前記スモールセルを有するワイヤレス通信ネットワークにおける各マクロセルよりも実質的に小さい送信電力を有することを特徴とし、前記スモールセルの無線範囲内の前記ＭＢＳＦＮ信号の測定値を取得することと、前記測定値に基づいて動作することと、を行うように構成された少なくとも１つのプロセッサと、
前記少なくとも１つのプロセッサに結合された、データを記憶するためのメモリと、
を備える装置。
［Ｃ１８］
前記プロセッサは、基準信号受信電力（ＲＳＲＰ）、基準信号受信品質（ＲＳＲＱ）、または信号対雑音比（ＳＮＲ）から選択されたメトリックを使用して、前記スモールセルにおいて受信された前記ＭＢＳＦＮ信号のメトリックを測定することによって、前記取得することを実行するようにさらに構成される、Ｃ１７に記載の装置。
［Ｃ１９］
前記プロセッサは、前記スモールセルの無線範囲におけるユーザ機器（ＵＥ）からの情報を受信することによって、前記取得することを実行するようにさらに構成される、Ｃ１７に記載の装置。
［Ｃ２０］
前記プロセッサは、ＭＢＳＦＮサービスに対するＵＥの関心、またはＭＢＳＦＮ信号強度のうちの少なくとも１つを示す報告を備える前記情報を前記受信するようにさらに構成される、Ｃ１９に記載の装置。
［Ｃ２１］
前記プロセッサは、前記ＵＥから物理ランダムアクセスチャネル（ＰＲＡＣＨ）信号を介して前記情報を受信するようにさらに構成される、Ｃ１９に記載の装置。
［Ｃ２２］
前記プロセッサは、前記スモールセルから前記ＭＢＳＦＮ信号を送信するための送信電力を設定することを備える前記動作することを実行するようにさらに構成される、Ｃ１７に記載の装置。
［Ｃ２３］
前記プロセッサは、前記スモールセルから送信されるべき連続したＭＢＳＦＮサブフレームの数に基づいて、前記送信電力をランプアップすることによって、前記送信電力を設定するようにさらに構成される、Ｃ２２に記載の装置。
［Ｃ２４］
前記プロセッサは、前記スモールセルからＭＢＳＦＮ信号を送信するかどうかを決定することを備える前記動作することを実行するようにさらに構成される、Ｃ１７に記載の装置。
［Ｃ２５］
前記プロセッサは、前記スモールセルがユニキャスト信号を送信しているかどうかにさらに基づいて、ＭＢＳＦＮ信号を送信するかどうかを前記決定することを実行するようにさらに構成される、Ｃ２４に記載の装置。
［Ｃ２６］
前記プロセッサは、前記スモールセルのＭＢＳＦＮ送信状態、ＭＢＳＦＮ送信電力、およびユニキャスト送信状態のうちの少なくとも１つをマルチキャスト協調エンティティ（ＭＣＥ）に報告するようにさらに構成される、Ｃ２４に記載の装置。
［Ｃ２７］
前記プロセッサは、前記ＭＢＳＦＮ信号のデータ品質要件にさらに基づいて、前記動作することを実行するようにさらに構成される、Ｃ１７に記載の装置。
［Ｃ２８］
前記プロセッサは、前記ＭＢＳＦＮ信号で使用されたデータレート変調コーディング方式（ＭＣＳ）、または前記スモールセルの無線範囲内の前記ＭＢＳＦＮ信号を受信するユーザ機器（ＵＥ）によって使用されたデータレートＭＣＳのうちの少なくとも１つに基づいて、前記データ品質要件を決定するようにさらに構成される、Ｃ２７に記載の装置。
［Ｃ２９］
前記プロセッサは、前記データ品質要件に基づいて、前記スモールセルによって送信されたＭＢＳＦＮシンボルの電力を変調するようにさらに構成される、Ｃ２７に記載の装置。
［Ｃ３０］
プロセッサによって実行されると、コンピュータに、
スモールセルにおいて、マクロセルからのワイヤレスマルチキャストブロードキャスト単一周波数ネットワーク（ＭＢＳＦＮ）信号を受信することと、ここで、前記スモールセルは、前記スモールセルを有するワイヤレス通信ネットワークにおける各マクロセルよりも実質的に小さい送信電力を有することを特徴とし、
前記スモールセルの無線範囲内の前記ＭＢＳＦＮ信号の測定値を取得することと、
前記測定値に基づいて動作することと、
を行わせる命令を保持する非一時的コンピュータ可読媒体。
【外国語明細書】
2018011313000001.pdf